(57)【要約】【課題】操作性と機動性に優れると共に、高いブレ補正効果を有し、収差が良好に補正された結像光学系及びそれを備えた撮像装置を提供する。【解決手段】結像光学系は、正屈折力の第１レンズ群と、負屈折力の第２レンズ群と、正屈折力の第３レンズ群と、負屈折力の第４レンズ群と、最も像側に配置された後側レンズ群と、を有し、フォーカス時又はズーム時、第１レンズ群と第２レンズ群との間隔が広がり、後側レンズ群は、正レンズと、負レンズと、を有し、第１レンズ群と第３レンズ群は、常時、光軸方向に移動せず、遠距離物体から近距離物体へのフォーカス時、第４レンズ群は像側に移動し、第３レンズ群は、正レンズと、負レンズと、を有し、ブレ補正レンズ群が、第３レンズ群に配置され、以下の条件式（１）、（２）を満足する。  ０．５９≦｜ｆMF／ｆMB｜≦３．０      （１）  ７０．０≦νｄFFp      （２）【選択図】図１
2019184968.tif 000002
【特許請求の範囲】
【請求項１】
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、前記第１レンズ群と前記第２レンズ群との間隔が広がり、
前記後側レンズ群は、正レンズと、負レンズと、を有し、
前記第１レンズ群と前記第３レンズ群は、常時、光軸方向に移動せず、
遠距離物体から近距離物体へのフォーカス時、前記第４レンズ群は像側に移動し、
前記第３レンズ群は、正レンズと、負レンズと、を有し、
ブレ補正レンズ群が、前記第３レンズ群に配置され、
前記ブレ補正レンズ群が光軸に対して垂直な方向に移動することで、像ブレが補正され、
以下の条件式（１）、（２）を満足することを特徴とする結像光学系。
０．５９≦｜ｆMF／ｆMB｜≦３．０      （１）
７０．０≦νｄFFp      （２）
ここで、
ｆMFは、前記第３レンズ群の焦点距離、
ｆMBは、前記第４レンズ群の焦点距離、
νｄFFpは、前記第１レンズ群に含まれる正レンズのアッベ数の中で、最大となるアッベ数、
である。
【請求項２】
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、前記第１レンズ群と前記第２レンズ群との間隔が広がり、
前記後側レンズ群は、正レンズと、負レンズと、を有し、
前記第１レンズ群と前記第３レンズ群は、常時、光軸方向に移動せず、
遠距離物体から近距離物体へのフォーカス時、前記第４レンズ群は像側に移動し、
前記第３レンズ群は、正レンズと、負レンズと、を有し、
ブレ補正レンズ群が、前記第３レンズ群に配置され、
前記ブレ補正レンズ群が光軸に対して垂直な方向に移動することで、像ブレが補正され、
以下の条件式（２）、（３）を満足することを特徴とする結像光学系。
７０．０≦νｄFFp      （２）
３．７≦ＬＴＬ／ｆMF≦８．５      （３）
ここで、
ｆMFは、前記第３レンズ群の焦点距離、
ＬＴＬは、最も物体側のレンズ面から像面までの距離、
νｄFFpは、前記第１レンズ群に含まれる正レンズのアッベ数の中で、最大となるアッベ数、
である。
【請求項３】
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、前記第１レンズ群と前記第２レンズ群との間隔が広がり、
前記後側レンズ群は、正レンズと、負レンズと、を有し、
前記第１レンズ群と前記第３レンズ群は、常時、光軸方向に移動せず、
遠距離物体から近距離物体へのフォーカス時、前記第４レンズ群は像側に移動し、
前記第３レンズ群は、正レンズと、負レンズと、を有し、
ブレ補正レンズ群が、前記第３レンズ群に配置され、
前記ブレ補正レンズ群が光軸に対して垂直な方向に移動することで、像ブレが補正され、
前記ブレ補正レンズ群は、正レンズと、負レンズと、を有し、
以下の条件式（４）、（５）を満足することを特徴とする結像光学系。
１．５≦｜ＬＴＬ／ｆFB｜≦９．５      （４）
−２．５≦ｆMB／ｆR≦−０．１５      （５）
ここで、
ｆFBは、前記第２レンズ群の焦点距離、
ＬＴＬは、最も物体側のレンズ面から像面までの距離、
ｆMBは、前記第４レンズ群の焦点距離、
ｆRは、前記後側レンズ群の焦点距離、
である。
【請求項４】
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、前記第１レンズ群と前記第２レンズ群との間隔が広がり、
前記後側レンズ群は、正レンズと、負レンズと、を有し、
前記第１レンズ群と前記第３レンズ群は、常時、光軸方向に移動せず、
遠距離物体から近距離物体へのフォーカス時、前記第４レンズ群は像側に移動し、
前記第３レンズ群は、正レンズと、負レンズと、を有し、
ブレ補正レンズ群が、前記第３レンズ群に配置され、
前記ブレ補正レンズ群が光軸に対して垂直な方向に移動することで、像ブレが補正され、
前記第３レンズ群は、物体側から順に、物体側副群と、像側副群と、からなり、
前記物体側副群は、正レンズと、負レンズと、を有し、
前記像側副群は、前記ブレ補正レンズ群を有し、
前記ブレ補正レンズ群は、正レンズと、負レンズと、を有することを特徴とする結像光学系。
【請求項５】
前記第１レンズ群、前記第３レンズ群、及び前記後側レンズは、常時、光軸方向に移動しないことを特徴とする請求項１から４の何れか一項に記載の結像光学系。
【請求項６】
前記ブレ補正レンズ群は、正レンズと、負レンズと、を有することを特徴とする請求項１又は２に記載の結像光学系。
【請求項７】
以下の条件式（１）を満足することを特徴とする請求項２から４の何れか一項に記載の結像光学系。
０．５９≦｜ｆMF／ｆMB｜≦３．０      （１）
ここで、
ｆMFは、前記第３レンズ群の焦点距離、
ｆMBは、前記第４レンズ群の焦点距離、
である。
【請求項８】
以下の条件式（３）を満足することを特徴とする請求項１、３、４の何れか一項に記載の結像光学系。
３．７≦ＬＴＬ／ｆMF≦８．５      （３）
ここで、
ｆMFは、前記第３レンズ群の焦点距離、
ＬＴＬは、最も物体側のレンズ面から像面までの距離、
である。
【請求項９】
以下の条件式（６）を満足することを特徴とする請求項１から８の何れか一項に記載の結像光学系。
０．８≦｜ｆFF／ｆFB｜≦５．０      （６）
ここで、
ｆFFは、前記第１レンズ群の焦点距離、
ｆFBは、前記第２レンズ群の焦点距離、
である。
【請求項１０】
以下の条件式（７）を満足することを特徴とする請求項１から９の何れか一項に記載の結像光学系。
０．４５≦ｆFB／ｆMB≦３．０      （７）
ここで、
ｆFBは、前記第２レンズ群の焦点距離、
ｆMBは、前記第４レンズ群の焦点距離、
である。
【請求項１１】
以下の条件式（８）を満足することを特徴とする請求項１から１０の何れか一項に記載の結像光学系。
０．８≦ｆFF／ｆMF≦５．０      （８）
ここで、
ｆFFは、前記第１レンズ群の焦点距離、
ｆMFは、前記第３レンズ群の焦点距離、
である。
【請求項１２】
以下の条件式（９）を満足することを特徴とする請求項１から１１の何れか一項に記載の結像光学系。
０．７≦ＫISA≦３．５      （９）
ここで、
ＫISA＝｜ＭＧISAback×（ＭＧISA−１）｜、
ＭＧISAbackは、無限遠物体合焦時の第１の所定の光学系の横倍率、
ＭＧISAは、無限遠物体合焦時の前記群ブレ補正レンズ群の横倍率、
前記第１の所定の光学系は、前記ブレ補正レンズ群よりも像側に位置する全てのレンズで構成された光学系、
前記横倍率は、前記結像光学系がズーム光学系の場合は、望遠端における横倍率、
である。
【請求項１３】
以下の条件式（１０）を満足することを特徴とする請求項１から１２の何れか一項に記載の結像光学系。
２．５≦ＫMBA≦１５      （１０）
ここで、
ＫMBA＝｜ＭＧMBAback２×（ＭＧMBA２−１）｜、
ＭＧMBAbackは、無限遠物体合焦時の第２の所定の光学系の横倍率、
ＭＧMBは、無限遠物体合焦時の前記第４レンズ群の横倍率、
前記第２の所定の光学系は、前記第４レンズ群よりも像側に位置する全てのレンズで構成された光学系、
前記横倍率は、前記結像光学系がズーム光学系の場合は、望遠端における横倍率、
である。
【請求項１４】
以下の条件式（４）を満足することを特徴とする請求項１、２、４の何れか一項に記載の結像光学系。
１．５≦｜ＬＴＬ／ｆFB｜≦９．５      （４）
ここで、
ｆFBは、前記第２レンズ群の焦点距離、
ＬＴＬは、最も物体側のレンズ面から像面までの距離、
である。
【請求項１５】
以下の条件式（５）を満足することを特徴とする請求項１、２、４の何れか一項に記載の結像光学系。
−２．５  ≦ｆMB／ｆR≦−０．１５      （５）
ここで、
ｆMBは、前記第４レンズ群の焦点距離、
ｆRは、前記後側レンズの焦点距離、
である。
【請求項１６】
前記第１レンズ群は、物体側から順に、
正屈折力の第１副群と、
第２副群と、からなり、
前記第２副群は、屈折力の符号が異なる２枚のレンズからなることを特徴とする請求項１から１５の何れか一項に記載の結像光学系。
【請求項１７】
前記第１レンズ群は、物体側から順に、
正屈折力の第１副群と、
第２副群と、
正屈折力の第３副群と、からなり、
前記第２副群は、屈折力の符号が異なる２枚のレンズからなることを特徴とする請求項１から１５の何れか一項に記載の結像光学系。
【請求項１８】
前記第３レンズ群は、物体側から順に、物体側副群と、像側副群と、からなり、
前記物体側副群は、前記正レンズと、前記負レンズと、を有し、
前記像側副群は、前記ブレ補正レンズ群を有することを特徴とする請求項１から３の何れか一項に記載の結像光学系。
【請求項１９】
前記第３レンズ群は、物体側から順に、物体側副群と、像側副群と、からなり、
前記物体側副群は、前記正レンズと、前記負レンズと、を有し、
前記像側副群は、前記ブレ補正レンズ群を有し、
前記ブレ補正レンズ群は、正レンズと、負レンズと、を有することを特徴とする請求項１から３の何れか一項に記載の結像光学系。
【請求項２０】
前記ブレ補正レンズ群は正屈折力を有することを特徴とする請求項４又は１８に記載の結像光学系。
【請求項２１】
前記ブレ補正レンズ群は正屈折力を有し、
前記第３レンズ群全体が前記ブレ補正レンズ群であることを特徴とする請求項１から２０の何れか一項に記載の結像光学系。
【請求項２２】
前記ブレ補正レンズ群は負屈折力を有し、
前記像側副群は、前記ブレ補正レンズ群と、正屈折力の所定の副群と、からなることを特徴とする請求項４又は１８に記載の結像光学系。
【請求項２３】
前記ブレ補正レンズ群は、２枚以上のレンズを有し、
前記２枚以上のレンズには、正レンズと、負レンズと、が含まれていることを特徴とする請求項１から２２の何れか一項に記載の結像光学系。
【請求項２４】
前記ブレ補正レンズ群は、２枚の正レンズと、１枚の負レンズと、を少なくとも有することを特徴とする請求項１から２３の何れか一項に記載の結像光学系。
【請求項２５】
前記第４レンズ群は、２枚以上のレンズを有し、
前記２枚以上のレンズには、正レンズと、負レンズと、が含まれていることを特徴とする請求項１から２４の何れか一項に記載の結像光学系。
【請求項２６】
開口絞りが、前記第２レンズ群の像側から前記第４レンズ群の物体側のまでの間に配置されていることを特徴とする請求項１から２５の何れか一項に記載の結像光学系。
【請求項２７】
前記第２レンズ群は、２枚の負レンズと、１枚の正レンズと、を有することを特徴とする請求項１６又は１７に記載の結像光学系。
【請求項２８】
前記後側レンズは、１枚の正レンズと、１枚の負レンズと、を有し、
前記正レンズと前記負レンズのうちの一方のレンズは、最も像側に位置し、他方のレンズは、前記一方のレンズに隣接して配置されていることを特徴とする請求項１から２７の何れか一項に記載の結像光学系。
【請求項２９】
以下の条件式（１１）を満足することを特徴とする請求項２８に記載の結像光学系。
ここで、
１６≦νｄRni≦２６      （１１）
νｄRniは、前記後側レンズの前記負レンズのアッベ数、
である。
【請求項３０】
以下の条件式（１２）を満足することを特徴とする請求項１から２９の何れか一項に記載の結像光学系。
０．０１５≦ＬIS／ＬＴＬ≦０．２      （１２）
ここで、
ＬISは、前記ブレ補正レンズ群の光軸上の総厚、
ＬＴＬは、最も物体側のレンズ面から像面までの距離、
である。
【請求項３１】
以下の条件式（２）を満足することを特徴とする請求項３又は４に記載の結像光学系。
７０．０≦νｄFFp      （２）
ここで、
νｄFFpは、前記第１レンズ群に含まれる正レンズのアッベ数の中で、最大となるアッベ数、
である。
【請求項３２】
前記結像光学系は、マクロレンズであり、
前記第２レンズ群と前記第４レンズ群を像側に動かすことでフォーカスを行うことを特徴とする請求項１から３１の何れか一項に記載の結像光学系。
【請求項３３】
前記結像光学系は、マクロレンズであり、
前記マクロレンズは、物体側から順に、前記第１レンズ群、前記第２レンズ群、前記第３レンズ群、前記第４レンズ群、及び前記後側レンズからなることを特徴とする請求項１から３２の何れか一項に記載の結像光学系。
【請求項３４】
前記結像光学系は、画角が変化するズームレンズであり、
少なくとも、前記第２レンズ群を像側に動かし、前記第４レンズ群を動かすことで、望遠側へのズームが行われ、
前記第４レンズ群を像側に動かすことで近距離物体へのフォーカスが行われることを特徴とする請求項１から３１の何れか一項に記載の結像光学系。
【請求項３５】
ズーム時又はフォーカス時に移動する移動レンズ群を有し、
前記移動レンズ群は、前記第４レンズ群と前記後側レンズとの間に配置されていることを特徴とする請求項３４に記載の結像光学系。
【請求項３６】
前記移動レンズ群は負屈折力を有し、ズーム時に移動することを特徴とする請求項３５に記載の結像光学系。
【請求項３７】
光学系系と、
撮像面を持ち、且つ前記光学系により撮像面上に形成された像を電気信号に変換する撮像素子と、を有し、
前記光学系が、請求項１から３６の何れか一項に記載の結像光学系であることを特徴とする撮像装置。
【発明の詳細な説明】
【技術分野】
【０００１】
本発明は、結像光学系及びそれを備えた撮像装置に関する。
【背景技術】
【０００２】
ごくわずかな時間で撮影を行わなければならないシーンは、多く存在する。このようなシーンとしては、例えば、被写体の位置が変化するシーン、暗いシーン、被写体の位置が定まっていないシーンなどがある。望遠レンズや超望遠レンズ（以下、「望遠レンズ」という）では、画角が狭くなる。そのため、このようなシーンを望遠レンズで撮影する場合、カメラを動かさなければならない状況が、特に多く発生する。
【０００３】
望遠レンズでは、光学系の全長と径が、共に大きくなり易い。その結果、光学系の重量も増加する。このため、望遠レンズを備えたカメラでは、カメラを動かすことは少なく、一般的には、三脚を使用する。このようなことから、望遠レンズを備えたカメラでは機動性が低下する。その結果、上述のようなシーンでは、撮影の機会を逃すことが多くなる。ここで、機動性とは、例えば、持ち運びの容易性、手持ち撮影時の安定性、フォーカススピードの高速性などである。
【０００４】
三脚を使用しない場合、手持ち撮影を行うことになる。このようにすると、カメラでは機動性が高まるので、被写体への追従は良くなる。しかしながら、望遠レンズでは、手ブレの影響を大きく受けるので、被写体ブレの可能性が高くなる。加えて、光学系が大きく、重たくなるので、安定してカメラを保持することが難しい。このため、鮮明な画像を得ることが難しい。
【０００５】
特許文献１では、撮影レンズ（第１実施例）は、物体側から順に、正屈折力の第１レンズ群と、負屈折力の第２レンズ群と、正屈折力の第３レンズ群と、正屈折力の第４レンズ群と、負屈折力の第５レンズ群と、からなる。フォーカス時、第２レンズ群と第４レンズ群とが移動する。
【０００６】
特許文献２では、撮影レンズ（第１実施例）は、物体側から順に、正屈折力の第１レンズ群と、負屈折力の第２レンズ群と、正屈折力の第３レンズ群と、負屈折力の第４レンズ群と、からなる。フォーカス時、第２レンズ群と第３レンズ群とが移動する。
【０００７】
特許文献３では、ズームレンズ（第１実施例）は、物体側から順に、正屈折力の第１レンズ群と、負屈折力の第２レンズ群と、正屈折力の第３レンズ群と、正屈折力の第４レンズ群と、からなる。ズーム時、第２レンズ群と第３レンズ群とが移動する。フォーカス時、第３レンズ群が移動する。
【０００８】
特許文献４では、ズームレンズ（第１実施例）は、物体側から順に、正屈折力の第１レンズ群と、負屈折力の第２レンズ群と、正屈折力の第３レンズ群と、負屈折力の第４レンズ群と、負屈折力の第５レンズ群と、からなる。ズーム時、第１レンズ群、第３レンズ群、第４レンズ群、及び第５レンズ群が移動する。
【先行技術文献】
【特許文献】
【０００９】
【特許文献１】特許第５１４２８２３号公報（第１実施例）
【特許文献２】特開２００６−１７１４３２号公報（第１実施例）
【特許文献３】特開２０１３−１６７７４９号公報（第１実施例）
【特許文献４】特開２０１７−１２０３８２号公報（第１実施例）
【発明の概要】
【発明が解決しようとする課題】
【００１０】
特許文献１と特許文献２では、フォーカス群の径が大きいので、フォーカス群が重たい。そのため、フォーカス時の機動性が劣る。
【００１１】
特許文献３では、フォーカス群の径が大きいので、フォーカス群が重たい。そのため、フォーカス時の機動性が劣る。また、光学系の前方に重量の大きなレンズ群が位置している。変倍時、このレンズ群が移動するため、変倍時の重心変動が大きい。そのため、安定した撮影が行いにくい。 
【００１２】
特許文献４では、変倍時の全長変化が大きい。そのため、特に、手持ち撮影時に安定した撮影が難しい。また、望遠端でのＦナンバーの値が大きい。そのため暗いシーンでの撮影では、手ブレによる被写体ブレの可能性が高くなる。
【００１３】
本発明は、このような課題に鑑みてなされたものであって、操作性と機動性に優れると共に、高いブレ補正効果を有し、収差が良好に補正された結像光学系及びそれを備えた撮像装置を提供することを目的とするものである。
【００１４】
上述した課題を解決し、目的を達成するために、本発明の少なくとも幾つかの実施形態に係る結像光学系は、
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、第１レンズ群と第２レンズ群との間隔が広がり、
後側レンズ群は、正レンズと、負レンズと、を有し、
第１レンズ群と第３レンズ群は、常時、光軸方向に移動せず、
遠距離物体から近距離物体へのフォーカス時、第４レンズ群は像側に移動し、
第３レンズ群は、正レンズと、負レンズと、を有し、
ブレ補正レンズ群が、第３レンズ群に配置され、
ブレ補正レンズ群が光軸に対して垂直な方向に移動することで、像ブレが補正され、
以下の条件式（１）、（２）を満足することを特徴とする。
０．５９≦｜ｆMF／ｆMB｜≦３．０      （１）
７０．０≦νｄFFp      （２）
ここで、
ｆMFは、第３レンズ群の焦点距離、
ｆMBは、第４レンズ群の焦点距離、
νｄFFpは、第１レンズ群に含まれる正レンズのアッベ数の中で、最大となるアッベ数、
である。
【００１５】
また、本発明の少なくとも幾つかの別の実施形態に係る別の結像光学系は、
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、第１レンズ群と第２レンズ群との間隔が広がり、
後側レンズ群は、正レンズと、負レンズと、を有し、
第１レンズ群と第３レンズ群は、常時、光軸方向に移動せず、
遠距離物体から近距離物体へのフォーカス時、第４レンズ群は像側に移動し、
第３レンズ群は、正レンズと、負レンズと、を有し、
ブレ補正レンズ群が、第３レンズ群に配置され、
ブレ補正レンズ群が光軸に対して垂直な方向に移動することで、像ブレが補正され、
以下の条件式（２）、（３）を満足することを特徴とする。
７０．０≦νｄFFp      （２）
３．７≦ＬＴＬ／ｆMF≦８．５      （３）
ここで、
ｆMFは、第３レンズ群の焦点距離、
ＬＴＬは、最も物体側のレンズ面から像面までの距離、
νｄFFpは、第１レンズ群に含まれる正レンズのアッベ数の中で、最大となるアッベ数、
である。
【００１６】
また、本発明の少なくとも幾つかの別の実施形態に係る別の結像光学系は、
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、第１レンズ群と第２レンズ群との間隔が広がり、
後側レンズ群は、正レンズと、負レンズと、を有し、
第１レンズ群と第３レンズ群は、常時、光軸方向に移動せず、
遠距離物体から近距離物体へのフォーカス時、第４レンズ群は像側に移動し、
第３レンズ群は、正レンズと、負レンズと、を有し、
ブレ補正レンズ群が、第３レンズ群に配置され、
ブレ補正レンズ群が光軸に対して垂直な方向に移動することで、像ブレが補正され、
ブレ補正レンズ群は、正レンズと、負レンズと、を有し、
以下の条件式（４）、（５）を満足することを特徴とする。
１．５≦｜ＬＴＬ／ｆFB｜≦９．５      （４）
−２．５≦ｆMB／ｆR≦−０．１５      （５）
ここで、
ｆFBは、第２レンズ群の焦点距離、
ＬＴＬは、最も物体側のレンズ面から像面までの距離、
ｆMBは、第４レンズ群の焦点距離、
ｆRは、後側レンズ群の焦点距離、
である。
【００１７】
また、本発明の少なくとも幾つかの別の実施形態に係る別の結像光学系は、
物体側から順に、
正屈折力の第１レンズ群と、負屈折力の第２レンズ群と、正屈折力の第３レンズ群と、負屈折力の第４レンズ群と、最も像側に配置された後側レンズ群と、を有し、
フォーカス時又はズーム時、第１レンズ群と第２レンズ群との間隔が広がり、
後側レンズ群は、正レンズと、負レンズと、を有し、
第１レンズ群と第３レンズ群は、常時、光軸方向に移動せず、
遠距離物体から近距離物体へのフォーカス時、第４レンズ群は像側に移動し、
第３レンズ群は、正レンズと、負レンズと、を有し、
ブレ補正レンズ群が、第３レンズ群に配置され、
ブレ補正レンズ群が光軸に対して垂直な方向に移動することで、像ブレが補正され、
第３レンズ群は、物体側から順に、物体側副群と、像側副群と、からなり、
物体側副群は、正レンズと、負レンズと、を有し、
像側副群は、ブレ補正レンズ群を有し、
ブレ補正レンズ群は、正レンズと、負レンズと、を有することを特徴とする。
【００１８】
また、本発明の撮像装置は、
光学系と、
撮像面を持ち、且つ光学系により撮像面上に形成された像を電気信号に変換する撮像素子と、を有し、
光学系が上述の何れか一つの結像光学系であることを特徴とする。
【発明の効果】
【００１９】
本発明によれば、操作性と機動性に優れると共に、高いブレ補正効果を有し、収差が良好に補正された結像光学系及びそれを備えた撮像装置を提供することができる。
【図面の簡単な説明】
【００２０】
【図１】実施例１（マクロレンズ）のレンズ断面図である。
【図２】実施例２（マクロレンズ）のレンズ断面図である。
【図３】実施例３（マクロレンズ）のレンズ断面図である。
【図４】実施例４（マクロレンズ）のレンズ断面図である。
【図５】実施例５（ズーム光学系）のレンズ断面図である。
【図６】実施例６（ズーム光学系）のレンズ断面図である。
【図７】実施例７（ズーム光学系）のレンズ断面図である。
【図８】実施例８（ズーム光学系）のレンズ断面図である。
【図９】実施例９（ズーム光学系）のレンズ断面図である。
【図１０】実施例１（マクロレンズ）の収差図である。
【図１１】実施例２（マクロレンズ）の収差図である。
【図１２】実施例３（マクロレンズ）の収差図である。
【図１３】実施例４（マクロレンズ）の収差図である。
【図１４】実施例５（ズーム光学系）の収差図である。
【図１５】実施例６（ズーム光学系）の収差図である。
【図１６】実施例７（ズーム光学系）の収差図である。
【図１７】実施例８（ズーム光学系）の収差図である。
【図１８】実施例９（ズーム光学系）の収差図である。
【図１９】撮像装置の断面図である。
【図２０】撮像装置の前方斜視図である。
【図２１】撮像装置の後方斜視図である。
【図２２】撮像装置の主要部の内部回路の構成ブロック図である。
【発明を実施するための形態】
【００２１】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００２２】
第１実施形態の結像光学系から第４実施形態の結像光学系（以下、「本実施形態の結像光学系」という）の基本構成について説明する。
【００２３】
本実施形態の結像光学系の基本構成は、物体側から順に、正屈折力の第１レンズ群と、負屈折力の第２レンズ群と、正屈折力の第３レンズ群と、負屈折力の第４レンズ群と、最も像側に配置された後側レンズ群と、を有し、フォーカス時又はズーム時、第１レンズ群と第２レンズ群との間隔が広がり、後側レンズ群は、正レンズと、負レンズと、を有し、第１レンズ群と第３レンズ群は、常時、光軸方向に移動せず、遠距離物体から近距離物体へのフォーカス時、第４レンズ群は像側に移動し、第３レンズ群は、正レンズと、負レンズと、を有し、ブレ補正レンズ群が、第３レンズ群に配置され、ブレ補正レンズ群が光軸に対して垂直な方向に移動することで、像ブレが補正される。
【００２４】
本実施形態の結像光学系の基本構成は、正屈折力の第１レンズ群、負屈折力の第２レンズ群、正屈折力の第３レンズ群、及び負屈折力の第４レンズ群と、最も像側に配置された後側レンズ群と、を有し、後側レンズ群が、正レンズと負レンズを有する。
【００２５】
この場合、第３レンズ群を基準にすると、第３レンズ群の物体側と第３レンズ群の像側のそれぞれに、負屈折力のレンズ群と正屈折力を含むレンズ群とが配置されることになる。そのため、基本構成では、屈折力の配置が対称な光学系が形成される。これにより、光学系の全長の短縮を図りながら、軸外収差、例えば、ディストーションや倍率色収差を良好に補正できる。
【００２６】
フォーカス時又はズーム時、第１レンズ群と第２レンズ群との間隔を変化させることで、第１レンズ群と第２レンズ群とで形成される合成光学系の焦点距離を大きく変えることができる。そのため、合成光学系の焦点距離の大きな変化を、近距離被写体へのフォーカス、或いは、より望遠側へのズームに用いることができる。
【００２７】
基本構成では、第２レンズ群の負屈折力と第４レンズ群の負屈折力とを、同時に大きくすることが容易となる。第２レンズ群の屈折力が大きくなることで、テレフォト作用を強められる。その結果、光学系の全長の短縮が容易となる。また、第２レンズ群の小径化が容易となる。
【００２８】
第４レンズ群の屈折力が大きくなることで、第４レンズ群の光軸方向の移動に対する像面移動量を増やすことが容易となる。第４レンズ群をフォーカス群とすることで、より近距離に位置する被写体へのフォーカスが可能になる。また、第４レンズ群の負屈折力が大きくなることで、第４レンズ群の小径化も容易となる。この場合、第４レンズ群の軽量化が図れるので、迅速なフォーカスを行うことができる。
【００２９】
第１レンズ群は重く、しかも、像面から最も離れている。フォーカス時とズーム時の両方で、第１レンズ群が移動すると、光学系の重心が大きく変化する。
【００３０】
そこで、第１レンズ群を光軸方向に固定する。これにより、フォーカス時とズーム時の両方で、光学系の重心位置の変動を減らすことができる。その結果、撮影時の安定性が確保できる。フォーカスやズームによって、光学系の撮影状態は様々に変化する。第１レンズ群を光軸方向に固定することで、全ての撮影状態で安定性を確保できる。
【００３１】
また、フォーカス時とズーム時の両方で、第３レンズ群を固定する。これにより、ブレ補正レンズ群を第３レンズ群に配置した場合、より高精度のブレ補正の制御が可能になる。
【００３２】
ブレ補正レンズ群は小径であることが望ましい。また、ブレ補正感度は高いことが望ましい。ブレ補正感度が高いと、少ない移動量でブレ補正が可能になる。その結果、駆動ユニットの小型化と迅速な補正が可能になる。ブレ補正感度は、ブレ補正レンズ群の移動量と像面の移動量との比で表される。像面の移動量が大きいほど、ブレ補正感度は高い。
【００３３】
また、ブレ補正レンズ群は、光軸方向に固定されているレンズ群に配置されていることが望ましい。ブレ補正レンズ群が光軸方向に移動するレンズ群に配置されていると、移動レンズ群の光軸方向の停止位置の精度を高める必要や、駆動機構におけるガタの影響を抑える必要がある。ブレ補正レンズ群が光軸方向に固定されているレンズ群に配置されていると、このような必要性が無くなるので、ブレ補正の性能を向上できる。
【００３４】
基本構成では、第１レンズ群と第３レンズ群が光軸方向に固定されている。結像光学系が望遠レンズの場合、レンズの径は、第１レンズ群で最も大きくなる。そのため、第１レンズ群にブレ補正レンズ群を配置すると、ブレ補正レンズ群の径が大きくなる。そのため、ブレ補正レンズ群の軽量化が困難になる。
【００３５】
後側レンズ群を光軸方向に固定した場合、後側レンズ群にブレ補正レンズ群を配置できる。後側レンズ群は像面の近くに配置されている。そのため、後側レンズ群では、レンズの径を比較的小さくできる。しかしながら、ブレ補正感度を高めることが困難になる。
【００３６】
ブレ補正感度を高めるためには、ブレ補正レンズ群の屈折力を大きくすれば良い。また、ブレ補正レンズ群をより物体側に配置することでも、ブレ補正感度を高めることができる。ただし、どちらの方法であっても、フォーカス群である第２レンズ群の移動スペースを狭めてしまう。結果として、フォーカスできる被写体距離も長くなる。
【００３７】
少ない移動スペースでフォーカスを行うには、第２レンズ群の屈折力を大きくしなくてはならない。しかしながら、第２レンズ群の屈折力を大きくすることは、球面収差発生の原因となる。
【００３８】
上述のように、ブレ補正感度を高めるためには、ブレ補正レンズ群の屈折力を大きくすれば良い。ただし、この方法だと、ブレ補正レンズ群の性能を確保するために、後側レンズ群の光軸方向の厚みを厚くしなくてはならない。そのため、光学系の全長が長くなる。
【００３９】
基本構成では、第１レンズ群と第２レンズ群とで、テレフォト光学系が形成されている。第３レンズ群は、第２レンズ群の像側に位置している。よって、第３レンズ群は、テレフォト光学系の像側に位置していることになる。
【００４０】
テレフォト光学系の像側では、光束径が絞られている。そのため、第３レンズ群では、軸上光束と軸外光束とが重なりあっている。その結果、第３レンズ群では、レンズが小径でありながら、レンズの移動による像面の移動量を増やすことが容易となる。
【００４１】
このようなことから、基本構成では、ブレ補正レンズ群を第３レンズ群に配置している。このようにすることで、ブレ補正レンズ群を小径にしつつ、高いブレ補正感度を得ることが容易となる。
【００４２】
また、第３レンズ群は、光学系の全長を短縮する役割も担っている。そのため、第３レンズ群では、屈折力を大きくしている。上述のように、第３レンズ群では、軸上光束と軸外光束が重なり合っている。そのため、第３レンズ群は、球面収差の補正や色収差の補正に重要なレンズ群である。
【００４３】
そこで、ブレ補正レンズ群に、屈折力を分担させるか、又は収差補正の機能の全部或いは一部を分担させると良い。このようにすると、効率的にブレ補正レンズ群の移動スペースを確保できる。そのため、光学系全体としてみると、フォーカス群の移動スペースの確保も容易となる。また、光学系の全長の短縮も容易となる。
【００４４】
ブレ補正レンズ群の移動は、第３レンズ群以外では行わないことが望ましい。このようにすることで、ブレ補正レンズ群の移動による外乱を無くせるので、より高精度のブレ補正の制御が可能になる。
【００４５】
また、上述のように、第３レンズ群は、光学系の全長の短縮と球面収差の補正に強く関与する。よって、第３レンズ群は、少なくとも、正レンズと負レンズを有することが望ましい。このようにすることで、第３レンズ群の屈折力を大きくできるので、光学系の全長短縮しつつ、球面収差の発生と軸上色収差の発生を抑制できる。
【００４６】
第１実施形態の結像光学系は、上述の基本構成を備えると共に、以下の条件式（１）、（２）を満足することを特徴とする。
０．５９≦｜ｆMF／ｆMB｜≦３．０      （１）
７０．０≦νｄFFp      （２）
ここで、
ｆMFは、第３レンズ群の焦点距離、
ｆMBは、第４レンズ群の焦点距離、
νｄFFpは、第１レンズ群に含まれる正レンズのアッベ数の中で、最大となるアッベ数、
である。
【００４７】
値が条件式（１）の下限値を下回る場合、第２レンズ群の屈折力が小さくなり過ぎる。この場合、第２レンズ群の径が大きくなる。第２レンズ群はフォーカス群なので、フォーカス群が重たくなる。その結果、迅速なフォーカスができなくなる。
【００４８】
また、フォーカス感度が低下する。この場合により、近距離物体へ合焦するためには、第４レンズ群の移動スペースを増加させなくてはならない。そのため、光学系の小型化ができなくなる。フォーカス感度は、フォーカス群の移動量と像面の移動量との比で表される。像面の移動量が大きいほど、フォーカス感度は高い。
【００４９】
値が条件式（１）の上限値を上回る場合、第４レンズ群の屈折力が大きくなり過ぎる。この場合、第４レンズ群での球面収差の発生が大きくなるので、良好な結像性能が得られない。
【００５０】
第１レンズ群の正屈折力を大きくすると、光学系の全長を短くできる。ただし、第１レンズ群の正屈折力を大きくすると、主に、軸上色収差の発生の増加傾向が強まる。
【００５１】
第１レンズ群で使用する正レンズのうち、少なくとも１枚の正レンズが条件式（２）を満足すると良い。このようにすると、軸上色収差の発生を抑制できる。その結果、光学系の結像性能を高めつつ、光学系の全長を短くできる。
【００５２】
第２実施形態の結像光学系は、上述の基本構成を備えると共に、以下の条件式（２）、（３）を満足することを特徴とする。
７０．０≦νｄFFp      （２）
３．７≦ＬＴＬ／ｆMF≦８．５      （３）
ここで、
ｆMFは、第３レンズ群の焦点距離、
ＬＴＬは、最も物体側のレンズ面から像面までの距離、
νｄFFpは、第１レンズ群に含まれる正レンズのアッベ数の中で、最大となるアッベ数、
である。
【００５３】
条件式（２）の技術的意義は上述の通りである。
【００５４】
値が条件式（３）の下限値を下回る場合、第３レンズ群の屈折力が小さくなる。この場合、第４レンズ群へ入射する光線の高さが高くなる。そのため、第４レンズ群の径が大きくなる。その結果、第４レンズ群の軽量化が困難になる。或いは、光学系の全長が短くなる。この場合、第１レンズ群の屈折力が大きくなる。そのため、第１レンズ群の重量が増加する。
【００５５】
値が条件式（３）の上限値を上回る場合、第３レンズ群における屈折力の負担が大きくなる。この場合、第３レンズ群での収差の発生が大きくなる。そのため、良好な結像性が得られない。或いは、光学系の全長が長くなる。
【００５６】
第３実施形態の結像光学系は、上述の基本構成を備えると共に、ブレ補正レンズ群は、正レンズと、負レンズと、を有し、以下の条件式（４）、（５）を満足することを特徴とする。
１．５≦｜ＬＴＬ／ｆFB｜≦９．５      （４）
−２．５≦ｆMB／ｆR≦−０．１５      （５）
ここで、
ｆFBは、第２レンズ群の焦点距離、
ＬＴＬは、最も物体側のレンズ面から像面までの距離、
ｆMBは、第４レンズ群の焦点距離、
ｆRは、後側レンズ群の焦点距離、
である。
【００５７】
ブレ補正レンズ群は、少なくとも、負レンズと正レンズとを有する。これにより、ブレ補正レンズ群内での軸上色収差の発生を軽減できる。その結果、ブレ補正レンズ群におけるブレ補正性能の確保が容易となる。
【００５８】
値が条件式（４）の下限値を下回る場合、第２レンズ群の径が大きくなる。この場合、光学系の径も大きくなる。そのため、光学系の小型化が困難になる。
【００５９】
値が条件式（４）の上限値を上回る場合、第２レンズ群で発生する球面収差が大きくなる。そのため、良好な結像性能が得られない。
【００６０】
値が条件式（５）の下限値を下回る場合、十分なバックフォーカスの確保が難しくなる。十分なバックフォーカスを確保しようとすると、第４レンズ群の屈折力が大きくなる。この場合、球面収差がオーバーになる傾向が強まるので、良好な結像性能が得られない。
【００６１】
値が条件式（５）の上限値を上回る場合、ディストーションがプラス方向に発生する傾向が強まる。値が条件式（５）の上限値を上回ることは好ましくない。
【００６２】
第４実施形態の結像光学系は、上述の基本構成を備えると共に、第３レンズ群は、物体側から順に、物体側副群と、像側副群と、からなり、物体側副群は、正レンズと、負レンズと、を有し、像側副群は、ブレ補正レンズ群を有し、ブレ補正レンズ群は、正レンズと、負レンズと、を有することを特徴とする。
【００６３】
第３レンズ群は、物体側から順に、物体側副群と、像側副群と、からなる。物体側副群は、正レンズと、負レンズと、を有する。
【００６４】
第３レンズ群をブレ補正レンズ群に配置するにあたって、ブレ補正レンズ群よりも物体側に物体側副群を配置する。物体側副群が、正レンズと負レンズを有することで、物体側副群内での球面収差の補正効果を強めることができる。
【００６５】
物体側副群での球面収差の補正効果は、ブレ補正レンズ群での球面収差の発生の軽減に利用できる。よって、ブレ補正レンズ群での球面収差の発生を軽減しながら、ブレ補正レンズ群におけるレンズ枚数を減らすことができる。その結果、ブレ補正レンズ群の軽量化が図れる。
【００６６】
ブレ補正レンズ群は、少なくとも、負レンズと正レンズとを有する。これにより、ブレ補正レンズ群内での軸上色収差の発生を軽減できる。その結果、ブレ補正レンズ群におけるブレ補正性能の確保が容易となる。
【００６７】
本実施形態の結像光学系では、第１レンズ群、第３レンズ群、及び後側レンズは、常時、光軸方向に移動しないことが好ましい。
【００６８】
第１レンズ群は重く、しかも、像面から最も離れている。フォーカス時とズーム時の両方で第１レンズ群が移動すると、光学系の重心が大きく変化する。
【００６９】
そこで、第１レンズ群を光軸方向に固定する。これにより、フォーカス時とズーム時の両方で、光学系の重心位置の変動を減らすことができる。その結果、撮影時の安定性が確保できる。フォーカスやズームによって、光学系の撮影状態は様々に変化する。第１レンズ群を光軸方向に固定することで、全ての撮影状態で安定性を確保できる。
【００７０】
また、後側レンズを常時固定とすることで、像面側からのゴミの進入を抑えることができる。また、第３レンズ群より像面側で移動するレンズ群の数が減るので、駆動機構を単純化できる。この場合、フォーカス駆動群である第４レンズ群の駆動機構の構成が、より容易となる。これにより鏡筒の細径化が図れる。
【００７１】
本実施形態の結像光学系では、ブレ補正レンズ群は、正レンズと、負レンズと、を有することが好ましい。
【００７２】
ブレ補正レンズ群は、少なくとも、負レンズと正レンズとを有する。これにより、ブレ補正レンズ群内での軸上色収差の発生を軽減できる。その結果、ブレ補正レンズ群におけるブレ補正性能の確保が容易となる。
【００７３】
本実施形態の結像光学系は、以下の条件式（１）を満足することが好ましい。
０．５９≦｜ｆMF／ｆMB｜≦３．０      （１）
ここで、
ｆMFは、第３レンズ群の焦点距離、
ｆMBは、第４レンズ群の焦点距離、
である。
【００７４】
条件式（１）の技術的意義は上述の通りである。
【００７５】
本実施形態の結像光学系は、以下の条件式（３）を満足することが好ましい。
３．７≦ＬＴＬ／ｆMF≦８．５      （３）
ここで、
ｆMFは、第３レンズ群の焦点距離、
ＬＴＬは、最も物体側のレンズ面から像面までの距離、
である。
【００７６】
条件式（３）の技術的意義は上述の通りである。
【００７７】
本実施形態の結像光学系は、以下の条件式（６）を満足することが好ましい。
０．８≦｜ｆFF／ｆFB｜≦５．０      （６）
ここで、
ｆFFは、第１レンズ群の焦点距離、
ｆFBは、第２レンズ群の焦点距離、
である。
【００７８】
値が条件式（６）の下限値を下回る場合、第１レンズ群の屈折力が大きくなる。第１レンズ群の屈折力が大きくなると、第１レンズ群の重量が増加する。そのため、第１レンズ群の軽量化が困難になる。
【００７９】
値が条件式（６）の上限値を上回る場合、テレフォト作用が弱まる。そのため、光学系の全長の短縮が困難になる。
【００８０】
本実施形態の結像光学系は、以下の条件式（７）を満足することが好ましい。
０．４５≦ｆFB／ｆMB≦３．０      （７）
ここで、
ｆFBは、第２レンズ群の焦点距離、
ｆMBは、第４レンズ群の焦点距離、
である。
【００８１】
値が条件式（７）の下限値を下回る場合、第４レンズ群での像面位置の補正効果が弱まる。そのため、フォーカス時の第４レンズ群の移動量が大きくなる。その結果、光学系の小型化が困難となる。又は、第２レンズ群での球面収差の発生が大きくなる。そのため、良好な結像性能が得られない。
【００８２】
値が条件式（７）の上限値を上回る場合、第４レンズ群での球面収差の発生が大きくなる。そのため、良好な結像性能が得られない。
【００８３】
本実施形態の結像光学系は、以下の条件式（８）を満足することが好ましい。
０．８≦ｆFF／ｆMF≦５．０      （８）
ここで、
ｆFFは、第１レンズ群の焦点距離、
ｆMFは、第３レンズ群の焦点距離、
である。
【００８４】
値が条件式（８）の下限値を下回る場合、第３レンズ群における光束の収斂作用が弱くなる。この場合、第３レンズ群よりも像側に位置するレンズの径を小さくできない。そのため、第３レンズ群より像側に位置するレンズの小型化が困難になる。
【００８５】
値が条件式（８）の上限値を上回る場合、第１レンズ群における光束の収斂作用が弱くなる。そのため、光学系の全長の短縮が困難になる。
【００８６】
本実施形態の結像光学系は、以下の条件式（９）を満足することが好ましい。
０．７≦ＫISA≦３．５      （９）
ここで、
ＫISA＝｜ＭＧISAback×（ＭＧISA−１）｜、
ＭＧISAbackは、無限遠物体合焦時の第１の所定の光学系の横倍率、
ＭＧISAは、無限遠物体合焦時のブレ補正レンズ群の横倍率、
第１の所定の光学系は、ブレ補正レンズ群よりも像側に位置する全てのレンズで構成された光学系、
横倍率は、結像光学系がズーム光学系の場合は、望遠端における横倍率、
である。
【００８７】
値が条件式（９）の下限値を下回る場合、有効なブレ補正効果を得ようとすると、ブレ補正レンズ群のシフト量が大きくなり過ぎる。そのため、ブレ補正レンズ群の径が大きくなる。
【００８８】
値が条件式（９）の上限値を上回る場合、ブレ補正レンズ群での球面収差の発生や非点収差の発生が大きくなる。そのため、ブレ補正性能の低下が大きくなる。
【００８９】
本実施形態の結像光学系は、以下の条件式（１０）を満足することが好ましい。
２．５≦ＫMBA≦１５      （１０）
ここで、
ＫMBA＝｜ＭＧMBAback２×（ＭＧMBA２−１）｜、
ＭＧMBAbackは、無限遠物体合焦時の第２の所定の光学系の横倍率、
ＭＧMBは、無限遠物体合焦時の第４レンズ群の横倍率、
第２の所定の光学系は、第４レンズ群よりも像側に位置する全てのレンズで構成された光学系、
横倍率は、結像光学系がズーム光学系の場合は、望遠端における横倍率、
である。
【００９０】
値が条件式（１０）の下限値を下回る場合、第４レンズ群での像面位置の補正効果が弱まる。そのため、結像光学系がズーム光学系の場合、ズーム時の光学系の全長変動が大きくなる。その結果、安定した撮影が難しくなる。
【００９１】
値が条件式（１０）の上限値を上回る場合、フォーカス時の第４レンズ群の位置誤差が大きくなる。そのため、結像位置の誤差が大きくなる。その結果、良好な結像性能が得られなくなる。
【００９２】
本実施形態の結像光学系は、以下の条件式（４）を満足することが好ましい。
１．５≦｜ＬＴＬ／ｆFB｜≦９．５      （４）
ここで、
ｆFBは、第２レンズ群の焦点距離、
ＬＴＬは、最も物体側のレンズ面から像面までの距離、
である。
【００９３】
条件式（４）の技術的意義は上述の通りである。
【００９４】
本実施形態の結像光学系は、以下の条件式（５）を満足することが好ましい。
−２．５  ≦ｆMB／ｆR≦−０．１５      （５）
ここで、
ｆMBは、第４レンズ群の焦点距離、
ｆRは、後側レンズの焦点距離、
である。
【００９５】
条件式（５）の技術的意義は上述の通りである。
【００９６】
本実施形態の結像光学系では、第１レンズ群は、物体側から順に、正屈折力の第１副群と、第２副群と、からなり、第２副群は、屈折力の符号が異なる２枚のレンズからなることが好ましい。
【００９７】
第１レンズ群は、物体側から順に、第１副群と、第２副群と、からなる。第１副群は、第１レンズ群において最も物体側に位置する。第１副群の屈折力を正屈折力とし、正屈折力を大きくすることで、第１レンズ群全体の屈折力を大きくできる。その結果、光学系の全長短縮が容易にできる。
【００９８】
第２副群は、屈折力の符号が異なる２枚のレンズからなる。第２副群は、負レンズと正レンズとを有すると良い。この場合、軸上色収差を良好に補正できると共に、第１副群で発生した色コマを良好に補正できる。第１レンズ群において残存する色収差を軽減できるので、第２レンズ群での色補正の必要性を減らすことができる。その結果、第２レンズ群のレンズ枚数を減らす効果が容易に得られ、また、ズーム時の安定した結像性能の確保が容易になる。
【００９９】
第１副群は、負レンズと正レンズとで構成できる。このようにすると、色収差補正が容易となる。ただし、第１副群は、正レンズの単レンズで構成することがより望ましい。このようにすると、第１レンズ群を軽量化できる。
【０１００】
第２副群の２枚のレンズは、接合されていると良い。このようにすると、安定したレンズ保持ができる。
【０１０１】
第２副群では、最も物体側のレンズ面が凸面で、最も像側のレンズ面が凹面であることが、より望ましい。このようにすると、第１レンズ群での球面収差の発生を少なくできる。
【０１０２】
本実施形態の結像光学系では、第１レンズ群は、物体側から順に、正屈折力の第１副群と、第２副群と、正屈折力の第３副群と、からなり、第２副群は、屈折力の符号が異なる２枚のレンズからなることが好ましい。
【０１０３】
第１副群の屈折力に関する技術的意義と、第２副群の構成に関する技術的意義は、上述の通りである。
【０１０４】
第２副群の像側には、正屈折力の第３副群が配置されている。このようにすることで、第１レンズ群内での球面収差の補正が、より容易となる。その結果、より良好な結像性能が得られる。
【０１０５】
第３副群では、最も物体側のレンズ面が凸面で、最も像側のレンズ面が凹面であることが、より望ましい。このようにすると、第１レンズ群での球面収差の補正が、より容易となる。また、第３副群は、１枚の正レンズで構成することが、より望ましい。このようにすると、第１レンズ群の軽量化が図れる。
【０１０６】
本実施形態の結像光学系では、第３レンズ群は、物体側から順に、物体側副群と、像側副群と、からなり、物体側副群は、正レンズと、負レンズと、を有し、像側副群は、ブレ補正レンズ群を有することが好ましい。
【０１０７】
物体側副群、像側副群、及びブレ補正レンズ群に関する技術的意義は、第４実施形態の結像光学系で説明した通りである。
【０１０８】
本実施形態の結像光学系では、第３レンズ群は、物体側から順に、物体側副群と、像側副群と、からなり、物体側副群は、正レンズと、負レンズと、を有し、像側副群は、ブレ補正レンズ群を有し、ブレ補正レンズ群は、正レンズと、負レンズと、を有することが好ましい。
【０１０９】
物体側副群、像側副群、及びブレ補正レンズ群に関する技術的意義は、第４実施形態の結像光学系で説明した通りである。
【０１１０】
本実施形態の結像光学系では、ブレ補正レンズ群は正屈折力を有することが好ましい。
【０１１１】
ブレ補正レンズ群の屈折力を正屈折力にすることで、第３レンズ群内に、第３レンズ群の屈折力と同符号の屈折力のブレ補正レンズ群が配置されることになる。この場合、第３レンズ群の正屈折力を大きくできるので、光学系の全長の短縮が容易となる。
【０１１２】
本実施形態の結像光学系では、ブレ補正レンズ群は正屈折力を有し、第３レンズ群全体がブレ補正レンズ群であることが好ましい。
【０１１３】
ブレ補正レンズ群の屈折力に関する技術的意義は、上述の通りである。
【０１１４】
第３レンズ群全体をブレ補正レンズ群とすることで、第３レンズ群の枠構成を簡略化できる。
【０１１５】
本実施形態の結像光学系では、ブレ補正レンズ群は負屈折力を有し、像側副群は、ブレ補正レンズ群と、正屈折力の所定の副群と、からなることが好ましい。
【０１１６】
ブレ補正レンズ群の屈折力を負屈折力にすることで、第３レンズ群内に、第３レンズ群の屈折力とは異符号の屈折力のブレ補正レンズ群が配置されることになる。この場合、ブレ補正感度を高めることが容易となる。
【０１１７】
また、第３レンズ群は正屈折力が大きいので、球面収差がアンダーになりやすい。第３レンズ群中に負屈折力のブレ補正レンズ群を配置することで、球面収差のアンダー側への発生を抑制できる。すなわち、球面収差を補正する効果が得られる。
【０１１８】
また、球面収差の補正は、第４レンズ群でも分担している。第３レンズ群で球面収差の補正効果が得られることで、第４レンズ群における球面収差の補正の負担も減らすことができる。その結果、第４レンズ群の移動時の結像性能の低下を減らすことができる。
【０１１９】
物体側副群の屈折力を正屈折力にすると、ブレ補正レンズ群より物体側の屈折力とブレ補正レンズ群より像側の屈折力は、共に、正屈折力になる。このようにすると、ブレ補正感度を高めることが、より容易となる。
【０１２０】
また、物体側副群の屈折力を正屈折力にすると、ブレ補正レンズ群に入射する光束径を小さくできる。そのため、ブレ補正レンズ群を小径化できる。この場合、ブレ補正レンズ群の軽量化が図れるので、より迅速にブレ補正ができる。
【０１２１】
本実施形態の結像光学系では、ブレ補正レンズ群は、２枚以上のレンズを有し、２枚以上のレンズには、正レンズと、負レンズと、が含まれていることが好ましい。
【０１２２】
ブレ補正レンズ群では、色収差の残存量が多いと、移動時に軸上で色コマの発生が大きくなる。そのため、結像性能が低下する。ブレ補正レンズ群が正レンズと負レンズを有することで、ブレ補正レンズ群内での色収差を補正できる。その結果、ブレ補正レンズ群における色収差の残存量を少なくできる。
【０１２３】
本実施形態の結像光学系では、ブレ補正レンズ群は、２枚の正レンズと、１枚の負レンズと、を少なくとも有することが好ましい。
【０１２４】
上述のように、第３レンズ群は、球面収差の補正や色収差の補正に重要なレンズ群である。正屈折力の第３レンズ群を２枚の正レンズを配置することで、２枚の正レンズに正屈折力を分担させることができる。その結果、正屈折力を大きくしても、球面収差の発生を抑制できる。第３レンズ群に負屈折力のレンズを配置することで、球面収差の補正と色収差の補正を行うことができる。
【０１２５】
本実施形態の結像光学系では、第４レンズ群は、２枚以上のレンズを有し、２枚以上のレンズには、正レンズと、負レンズと、が含まれていることが好ましい。
【０１２６】
第４レンズ群は、フォーカス群である。第４レンズ群で色収差の残存量が多いと、主にフォーカス時の軸上色収差の変動が大きくなる。その結果、近距離物体へのフォーカス時に、結像性能が劣化する。第４レンズ群に、正レンズと負レンズを配置することで、第４レンズ群内で軸上色収差を良好に補正できる。その結果、結像性能の劣化を軽減できる。
【０１２７】
本実施形態の結像光学系では、開口絞りが、第２レンズ群の像側から第４レンズ群の物体側のまでの間に配置されていることが好ましい。
【０１２８】
第２レンズ群の像側から第４レンズ群の物体側のまでの間に、開口絞りを配置することが望ましい。このようにすると、開口絞りの物体側と像側で、光学系の対称性を確保できる。その結果、倍率色収差の発生やディストーションの発生を軽減できる。
【０１２９】
上述のように、基本構成では、第１レンズ群と第２レンズ群とでよるテレフォト光学系が形成されている。第３レンズ群は、第２レンズ群の像側に位置している。よって、第３レンズ群は、テレフォト光学系の像側に位置していることになる。
【０１３０】
テレフォト光学系の像側では、光束径が絞られている。よって、第３レンズ群では、軸上光束と軸外光束とが重なりあっている。このため、第３レンズ群の近傍に開口絞りを配置することで、フォーカス時のＦナンバーの変化、又はズーム時のＦナンバーの変化を減らすことができる。
【０１３１】
本実施形態の結像光学系では、第２レンズ群は、２枚の負レンズと、１枚の正レンズと、を有することが好ましい。
【０１３２】
第２レンズ群では、主に、第１レンズ群で残存する諸収差を補正する。残存する諸収差は、例えば、球面収差、非点収差、及び色収差である。これらの諸収差を補正することが、光学系の全長短縮と、ズーム域の全域での結像性能確保のために有効である。
【０１３３】
第１レンズ群では、色コマの発生と球面収差の発生が抑制されている。よって、第２レンズ群では、色コマと球面収差以外の収差を軽減すれば良い。第２レンズ群が、２枚の負レンズと、１枚の正レンズと、を有することで、球面収差、非点収差、及び色収差を補正できる。また、３枚のレンズで第２レンズ群を構成することで、第２レンズ群を小型化する効果と、第２レンズ群を軽量化する効果が得られる。
【０１３４】
本実施形態の結像光学系では、後側レンズは、１枚の正レンズと、１枚の負レンズと、を有し、正レンズと負レンズのうちの一方のレンズは、最も像側に位置し、他方のレンズは、一方のレンズに隣接して配置されていることが好ましい。
【０１３５】
後側レンズの最も像側に、１枚の正レンズと１枚の負レンズを配置すると良い。このようにすることで、軸外収差、例えば、ディストーションや倍率色収差を良好に補正できる。
【０１３６】
本実施形態の結像光学系は、以下の条件式（１１）を満足することが好ましい。
１６≦νｄRni≦２６      （１１）
νｄRniは、後側レンズの負レンズのアッベ数、
である。
【０１３７】
値が条件式（１１）の下限値を下回る場合、光学系全体での倍率色収差の補正、特に、短波長側での倍率色収差の補正が過剰となる。そのため、結像性能が低下する。値が条件式（１１）の上限値を上回る場合、光学系全体での倍率色収差の補正、特に、短波長側での倍率色収差の補正効果が弱まる。そのため、結像性能が低下する。
【０１３８】
本実施形態の結像光学系は、以下の条件式（１２）を満足することが好ましい。
０．０１５≦ＬIS／ＬＴＬ≦０．２      （１２）
ここで、
ＬISは、ブレ補正レンズ群の光軸上の総厚、
ＬＴＬは、最も物体側のレンズ面から像面までの距離、
である。
【０１３９】
ブレ補正レンズ群は、正レンズと、負レンズと、を少なくとも有する。これにより、球面収差の発生と色収差の発生を抑制できる。
【０１４０】
値が条件式（１２）の下限値を下回る場合、球面収差の補正に必要な屈折力や、色収差の補正に必要な屈折力を、正レンズに持たせることができない。そのため、良好な結像性能が得られない。
【０１４１】
値が条件式（１２）の上限値を上回る場合、ブレ補正レンズ群の移動スペースが増加する。そのため、ズーム時に移動するレンズ群の移動スペース、又はフォーカス時に移動するレンズ群の移動スペースを十分に確保できない。移動スペースを確保しようとすると、光学系の全長が長くなる。そのため、光学系の全長短縮が難しくなる。
【０１４２】
本実施形態の結像光学系は、以下の条件式（２）を満足することが好ましい。
７０．０≦νｄFFp      （２）
ここで、
νｄFFpは、第１レンズ群に含まれる正レンズのアッベ数の中で、最大となるアッベ数、
である。
【０１４３】
条件式（２）の技術的意義は上述の通りである。
【０１４４】
本実施形態の結像光学系では、結像光学系は、マクロレンズであり、第２レンズ群と第４レンズ群を像側に動かすことでフォーカスを行うことが好ましい。
【０１４５】
このようにすることで、近距離に位置する物体に対しても、フォーカスが可能になる。また、ブレ補正を抑制できる。その結果、近距離に位置する物体の光学像を鮮明に形成できる。
【０１４６】
本実施形態の結像光学系では、結像光学系は、マクロレンズであり、マクロレンズは、物体側から順に、第１レンズ群、第２レンズ群、第３レンズ群、第４レンズ群、及び後側レンズからなることが好ましい。
【０１４７】
このようにすることで、光学系を小型にしつつ、近距離に位置する物体に対しても、フォーカスが可能になる。また、ブレ補正を抑制できる。その結果、近距離に位置する物体の光学像を鮮明に形成できる。
【０１４８】
本実施形態の結像光学系では、結像光学系は、画角が変化するズームレンズであり、少なくとも、第２レンズ群を像側に動かし、第４レンズ群を動かすことで、望遠側へのズームが行われ、第４レンズ群を像側に動かすことで近距離物体へのフォーカスが行われることが好ましい。
【０１４９】
このようにすることで、遠距離に位置する物体の光学像の形成と、フォーカスが可能になる。また、ブレ補正を抑制できる。その結果、遠距離に位置する物体の光学像を鮮明に形成できる。
【０１５０】
本実施形態の結像光学系は、ズーム時又はフォーカス時に移動する移動レンズ群を有し、移動レンズ群は、第４レンズ群と後側レンズとの間に配置されていることが好ましい。
【０１５１】
第２レンズ群や第４レンズ群とは別に、ズーム時又はフォーカス時に移動する移動レンズ群を備えることが望ましい。移動レンズ群は、第４レンズ群と後側レンズの間に配置すると良い。
【０１５２】
ズーム時又はフォーカス時、非点収差の変動が第４レンズ群で発生する。移動レンズ群を、第４レンズ群の近傍に配置することで、非点収差の変動を抑制できる。ズーム時に移動レンズ群を移動させることで、非点収差の変動を抑制する効果を高められる。
【０１５３】
本実施形態の結像光学系では、移動レンズ群は負屈折力を有し、ズーム時に移動することが好ましい。
【０１５４】
移動レンズ群の屈折力を負屈折力にすることで、光学系の小径化と光学系の軽量化が図れる。ズーム時に移動レンズ群を移動させることで、光学系の小径化の効果、光学系の軽量化の効果、及び非点収差の変動を抑制する効果を高められる。
【０１５５】
本実施形態の撮像装置は、光学系と、撮像面を持ち、且つ光学系により撮像面上に形成された像を電気信号に変換する撮像素子と、を有し、光学系が上述の何れか一つの結像光学系であることを特徴とする。
【０１５６】
操作性と機動性に優れると共に、高画質の画像が得られる撮像装置を提供することができる。
【０１５７】
上述の構成は相互に複数を同時に満足することがより好ましい。また、一部の構成を同時に満足するようにしてもよい。例えば、上述の結像光学系や撮像装置の何れかにて、上述の他の結像光学系の何れかを用いるようにしてもよい。
【０１５８】
条件式については、それぞれの条件式を個別に満足させるようにしても良い。このようにすると、それぞれの効果を得やすくなるので好ましい。
【０１５９】
各条件式について、以下のように下限値、または上限値を変更しても良い、このようにすることで、各条件式の効果を一層確実にできるので好ましい。
【０１６０】
条件式（１）については、以下の通りである。
下限値を、０．６５、０．７、０．８のいずれかにすることが好ましい。
上限値を、２．７、２．５、２．０のいずれかにすることが好ましい。
条件式（２）については、以下の通りである。
下限値を、７３、８０、９０のいずれかにすることが好ましい。
条件式（３）については、以下の通りである。
下限値を、３．９、又は、４．１にすることが好ましい。
上限値を、８．０、７．０、６．０、５．７のいずれかにすることが好ましい。
条件式（４）については、以下の通りである。
下限値を、２．０、２．５、３．０のいずれかにすることが好ましい。
上限値を、９．０、８．５、７．５、７．０のいずれかにすることが好ましい。
条件式（５）については、以下の通りである。
下限値を、−２．２、−１．７、−１．３のいずれかにすることが好ましい。
上限値を、−０．２、−０．２５、−０．３のいずれかにすることが好ましい。
条件式（６）については、以下の通りである。
下限値を、０．９、１．１、１．３のいずれかにすることが好ましい。
上限値を、４．５、４．０、３．５のいずれかにすることが好ましい。
条件式（７）については、以下の通りである。
下限値を、０．４９、０．５１、０．５６のいずれかにすることが好ましい。
上限値を、２．７、２．５、２．２のいずれかにすることが好ましい。
条件式（８）については、以下の通りである。
下限値を、０．９、１．０、１．２のいずれかにすることが好ましい。
上限値を、４．７、４．３、４．０のいずれかにすることが好ましい。
条件式（９）については、以下の通りである。
下限値を、０．８５、１．０、１．２のいずれかにすることが好ましい。
上限値を、３．２、２．７、２．３のいずれかにすることが好ましい。
条件式（１０）については、以下の通りである。
下限値を、２．７、又は、２．８にすることが好ましい。
上限値を、１３、１２、８のいずれかにすることが好ましい。
条件式（１１）については、以下の通りである。
下限値を、１７、又は、１７．５にすることが好ましい。
上限値を、２５、又は、２４にすることが好ましい。
条件式（１２）については、以下の通りである。
下限値を、０．０２、０．０２３、０．０２５のいずれかにすることが好ましい。
上限値を、０．１５、０．１、０．０７のいずれかにすることが好ましい。
【０１６１】
以下に、結像光学系の実施例を、図面に基づいて詳細に説明する。なお、この実施例によりこの発明が限定されるものではない。結像光学系の実施例として、マクロレンズとズーム光学系を示す。
【０１６２】
各実施例のレンズ断面図について説明する。マクロレンズの実施例では、（ａ）は無限遠物体合焦時のレンズ断面図、（ｂ）は近距離物体合焦時のレンズ断面図、（ｃ）は至近距離物体合焦時のレンズ断面図を示している。
【０１６３】
ズーム光学系の実施例では、（ａ）は広角端におけるレンズ断面図、（ｂ）は中間焦点距離状態におけるレンズ断面図、（ｃ）は望遠端におけるレンズ断面図を示している。
【０１６４】
各実施例の収差図について説明する。マクロレンズの実施例では、（ａ）は無限遠物体合焦時の球面収差（ＳＡ）、（ｂ）は無限遠物体合焦時の非点収差（ＡＳ）、（ｃ）は無限遠物体合焦時の歪曲収差（ＤＴ）、（ｄ）は無限遠物体合焦時の倍率色収差（ＣＣ）を示している。
【０１６５】
（ｅ）は近距離物体合焦時の球面収差（ＳＡ）、（ｆ）は近距離物体合焦時の非点収差（ＡＳ）、（ｇ）は近距離物体合焦時の歪曲収差（ＤＴ）、（ｈ）は近距離物体合焦時の倍率色収差（ＣＣ）を示している。
【０１６６】
また、（ｉ）は至近距離物体合焦時の球面収差（ＳＡ）、（ｊ）は至近距離物体合焦時の非点収差（ＡＳ）、（ｋ）は至近距離物体合焦時の歪曲収差（ＤＴ）、（ｌ）は至近距離物体合焦時の倍率色収差（ＣＣ）を示している。
【０１６７】
ズーム光学系の実施例では、（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０１６８】
（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０１６９】
（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０１７０】
ズーム光学系の実施例では、レンズ断面図は、無限遠物体合焦時のレンズ断面図である。収差図は、無限遠物体合焦時の収差図である。
【０１７１】
第１レンズ群はＧ１、第２レンズ群はＧ２、第３レンズ群はＧ３、第４レンズ群はＧ４、第５レンズ群はＧ５、第６レンズ群はＧ６、開口絞りはＳ、像面（撮像面）はＩで示してある。
【０１７２】
実施例１は、マクロレンズの実施例である。マクロレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１７３】
第１レンズ群Ｇ１は、両凸正レンズＬ１と、両凸正レンズＬ２と、両凹負レンズＬ３と、物体側に凸面を向けた正メニスカスレンズＬ４と、で構成されている。ここで、両凸正レンズＬ２と両凹負レンズＬ３とが接合されている。
【０１７４】
第２レンズ群Ｇ２は、両凹負レンズＬ５と、物体側に凸面を向けた負メニスカスレンズＬ６と、物体側に凸面を向けた正メニスカスレンズＬ７と、で構成されている。ここで、メニスカスレンズＬ６と正メニスカスレンズＬ７とが接合されている。
【０１７５】
第３レンズ群Ｇ３は、両凸正レンズＬ８と、像側に凸面を向けた正メニスカスレンズＬ９と、像側に凸面を向けた負メニスカスレンズＬ１０と、両凸正レンズＬ１１と、両凹負レンズＬ１２と、両凹負レンズＬ１３と、両凸正レンズＬ１４と、物体側に凸面を向けた正メニスカスレンズＬ１５と、で構成されている。ここで、正メニスカスレンズＬ９と負メニスカスレンズＬ１０とが接合されている。両凸正レンズＬ１１と両凹負レンズＬ１２とが接合されている。
【０１７６】
第４レンズ群Ｇ４は、両凹負レンズＬ１６と、物体側に凸面を向けた正メニスカスレンズＬ１７と、で構成されている。
【０１７７】
第５レンズ群Ｇ５は、物体側に凸面を向けた負メニスカスレンズＬ１８と、両凸正レンズＬ１９と、で構成されている。
【０１７８】
無限遠物体から至近距離物体へのフォーカシング時、第１レンズ群Ｇ１、第３レンズ群Ｇ３、及び第５レンズ群Ｇ５は固定である。第２レンズ群Ｇ２と第４レンズ群Ｇ４は、共に像側に移動する。像ブレ補正時、両凸正レンズＬ１１、両凹負レンズＬ１２、及び両凹負レンズＬ１３が、光軸と垂直な方向に移動する。
【０１７９】
非球面は、両凸正レンズＬ１４の両面と、両凹負レンズＬ１６の両面と、の合計４面に設けられている。
【０１８０】
実施例２は、マクロレンズの実施例である。マクロレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１８１】
第１レンズ群Ｇ１は、両凸正レンズＬ１と、両凸正レンズＬ２と、両凹負レンズＬ３と、物体側に凸面を向けた正メニスカスレンズＬ４と、で構成されている。ここで、両凸正レンズＬ２と両凹負レンズＬ３とが接合されている。
【０１８２】
第２レンズ群Ｇ２は、両凹負レンズＬ５と、両凹負レンズＬ６と、物体側に凸面を向けた正メニスカスレンズＬ７と、で構成されている。ここで、両凹負レンズＬ６と正メニスカスレンズＬ７とが接合されている。
【０１８３】
第３レンズ群Ｇ３は、像側に凸面を向けた正メニスカスレンズＬ８と、両凸正レンズＬ９と、像側に凸面を向けた負メニスカスレンズＬ１０と、像側に凸面を向けた正メニスカスレンズＬ１１と、両凹負レンズＬ１２と、両凸正レンズＬ１３と、物体側に凸面を向けた正メニスカスレンズＬ１４と、で構成されている。ここで、両凸正レンズＬ９と負メニスカスレンズＬ１０とが接合されている。正メニスカスレンズＬ１１と両凹負レンズＬ１２とが接合されている。
【０１８４】
第４レンズ群Ｇ４は、両凹負レンズＬ１５と、物体側に凸面を向けた正メニスカスレンズＬ１６と、で構成されている。
【０１８５】
第５レンズ群Ｇ５は、物体側に凸面を向けた負メニスカスレンズＬ１７と、両凸正レンズＬ１８と、で構成されている。
【０１８６】
無限遠物体から至近距離物体へのフォーカシング時、第１レンズ群Ｇ１、第３レンズ群Ｇ３、及び第５レンズ群Ｇ５は固定である。第２レンズ群Ｇ２と第４レンズ群Ｇ４は、共に像側に移動する。像ブレ補正時、正メニスカスレンズＬ１１と両凹負レンズＬ１２とが、光軸と垂直な方向に移動する。
【０１８７】
非球面は、両凹負レンズＬ１２の像側面と、両凹負レンズＬ１５の両面と、の合計３面に設けられている。
【０１８８】
実施例３は、マクロレンズの実施例である。マクロレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１８９】
第１レンズ群Ｇ１は、両凸正レンズＬ１と、両凸正レンズＬ２と、両凹負レンズＬ３と、物体側に凸面を向けた正メニスカスレンズＬ４と、で構成されている。ここで、両凸正レンズＬ２と両凹負レンズＬ３とが接合されている。
【０１９０】
第２レンズ群Ｇ２は、物体側に凸面を向けた負メニスカスレンズＬ５と、両凹負レンズＬ６と、物体側に凸面を向けた正メニスカスレンズＬ７と、で構成されている。ここで、両凹負レンズＬ６と正メニスカスレンズＬ７とが接合されている。
【０１９１】
第３レンズ群Ｇ３は、両凹負レンズＬ８と、両凸正レンズＬ９と、両凸正レンズＬ１０と、両凹負レンズＬ１１と、両凸正レンズＬ１２と、像側に凸面を向けた負メニスカスレンズＬ１３と、で構成されている。ここで、両凹負レンズＬ８と両凸正レンズＬ９とが接合されている。両凸正レンズＬ１２と負メニスカスレンズＬ１３とが接合されている。
【０１９２】
第４レンズ群Ｇ４は、両凹負レンズＬ１４と、物体側に凸面を向けた正メニスカスレンズＬ１５と、で構成されている。
【０１９３】
第５レンズ群Ｇ５は、物体側に凸面を向けた負メニスカスレンズＬ１６と、物体側に凸面を向けた正メニスカスレンズＬ１７と、で構成されている。
【０１９４】
無限遠物体から至近距離物体へのフォーカシング時、第１レンズ群Ｇ１、第３レンズ群Ｇ３、及び第５レンズ群Ｇ５は固定である。第２レンズ群Ｇ２と第４レンズ群Ｇ４は、共に像側に移動する。像ブレ補正時、両凸正レンズＬ１２と負メニスカスレンズＬ１３とが、光軸と垂直な方向に移動する。
【０１９５】
非球面は、両凸正レンズＬ１２の物体側面と、両凹負レンズＬ１４の両面と、の合計３面に設けられている。
【０１９６】
実施例４は、マクロレンズの実施例である。マクロレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第２レンズ群Ｇ２と第３レンズ群Ｇ３との間に配置されている。
【０１９７】
第１レンズ群Ｇ１は、両凸正レンズＬ１と、両凸正レンズＬ２と、両凹負レンズＬ３と、両凸正レンズＬ４と、で構成されている。ここで、両凸正レンズＬ２と両凹負レンズＬ３とが接合されている。
【０１９８】
第２レンズ群Ｇ２は、両凹負レンズＬ５と、両凹負レンズＬ６と、物体側に凸面を向けた正メニスカスレンズＬ７と、で構成されている。ここで、両凹負レンズＬ６と正メニスカスレンズＬ７とが接合されている。
【０１９９】
第３レンズ群Ｇ３は、両凸正レンズＬ８と、両凹負レンズＬ９と、両凸正レンズＬ１０と、で構成されている。ここで、両凹負レンズＬ９と両凸正レンズＬ１０とが接合されている。
【０２００】
第４レンズ群Ｇ４は、両凹負レンズＬ１１と、物体側に凸面を向けた正メニスカスレンズＬ１２と、で構成されている。
【０２０１】
第５レンズ群Ｇ５は、物体側に凸面を向けた負メニスカスレンズＬ１３と、両凸正レンズＬ１４と、で構成されている。
【０２０２】
無限遠物体から至近距離物体へのフォーカシング時、第１レンズ群Ｇ１、第３レンズ群Ｇ３、及び第５レンズ群Ｇ５は固定である。第２レンズ群Ｇ２と第４レンズ群Ｇ４は、共に像側に移動する。像ブレ補正時、両凸正レンズＬ８、両凹負レンズＬ９、及び両凸正レンズＬ１０が、光軸と垂直な方向に移動する。
【０２０３】
非球面は、両凸正レンズＬ８の両面と、両凹負レンズＬ１１の両面と、の合計４面に設けられている。
【０２０４】
実施例５は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞り（絞り）Ｓは、第３レンズ群Ｇ３中に配置されている。
【０２０５】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、
負メニスカスレンズＬ２と正メニスカスレンズＬ３とが接合されている。
【０２０６】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０２０７】
第３レンズ群Ｇ３は、両凸正レンズＬ７と、両凸正レンズＬ８と、両凹負レンズＬ９と、物体側に凸面を向けた負メニスカスレンズＬ１０と、物体側に凸面を向けた正メニスカスレンズＬ１１と、像側に凸面を向けた正メニスカスレンズＬ１２と、両凹負レンズＬ１３と、両凹負レンズＬ１４と、両凸正レンズＬ１５と、で構成されている。
【０２０８】
ここで、両凸正レンズＬ８と両凹負レンズＬ９とが接合されている。負メニスカスレンズＬ１０と正メニスカスレンズＬ１１とが接合されている。正メニスカスレンズＬ１２と両凹負レンズＬ１３とが接合されている。
【０２０９】
第４レンズ群Ｇ４は、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０２１０】
第５レンズ群Ｇ５は、像側に凸面を向けた正メニスカスレンズＬ１８と、両凹負レンズＬ１９と、で構成されている。ここで、正メニスカスレンズＬ１８と両凹負レンズＬ１９とが接合されている。
【０２１１】
第６レンズ群Ｇ６は、両凸正レンズＬ２０と、像側に凸面を向けた正メニスカスレンズＬ２１と、像側に凸面を向けた負メニスカスレンズＬ２２と、で構成されている。ここで、正メニスカスレンズＬ２１と負メニスカスレンズＬ２２とが接合されている。
【０２１２】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４と第５レンズ群Ｇ５は物体側に移動する。開口絞りＳは、第３レンズ群Ｇ３と共に固定されている。
【０２１３】
遠点から近点へのフォーカス時、第４レンズ群Ｇ４と第５レンズ群Ｇ５が、共に像側にする。像ブレ補正時、正メニスカスレンズＬ１２、両凹負レンズＬ１３、及び両凹負レンズＬ１４が、光軸と垂直な方向に移動する。
【０２１４】
非球面は、両凸正レンズＬ１５の両面の合計２面に設けられている。
【０２１５】
実施例６は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞り（絞り）Ｓは、第３レンズ群Ｇ３中に配置されている。
【０２１６】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２１７】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０２１８】
第３レンズ群Ｇ３は、両凸正レンズＬ７と、物体側に凸面を向けた正メニスカスレンズＬ８と、両凹負レンズＬ９と、両凸正レンズＬ１０と、像側に凸面を向けた正メニスカスレンズＬ１１と、両凹負レンズＬ１２と、両凹負レンズＬ１３と、両凸正レンズＬ１４と、で構成されている。
【０２１９】
ここで、両凹負レンズＬ９と両凸正レンズＬ１０とが接合されている。正メニスカスレンズＬ１１と両凹負レンズＬ１２とが接合されている。
【０２２０】
第４レンズ群Ｇ４は、物体側に凸面を向けた負メニスカスレンズＬ１５と、物体側に凸面を向けた正メニスカスレンズＬ１６と、で構成されている。ここで、負メニスカスレンズＬ１５と正メニスカスレンズＬ１６とが接合されている。
【０２２１】
第５レンズ群Ｇ５は、両凸正レンズＬ１７と、両凹負レンズＬ１８と、で構成されている。ここで、両凸正レンズＬ１７と両凹負レンズＬ１８とが接合されている。
【０２２２】
第６レンズ群Ｇ６は、両凸正レンズＬ１９と、像側に凸面を向けた正メニスカスレンズＬ２０と、像側に凸面を向けた負メニスカスレンズＬ２１と、で構成されている。ここで、正メニスカスレンズＬ２０と負メニスカスレンズＬ２１とが接合されている。
【０２２３】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０２２４】
遠点から近点へのフォーカス時、第４レンズ群Ｇ４と第５レンズ群Ｇ５が、共に像側に移動する。像ブレ補正時、正メニスカスレンズＬ１１、両凹負レンズＬ１２、及び両凹負レンズＬ１３が、光軸と垂直な方向に移動する。
【０２２５】
非球面は、両凸正レンズＬ１０の像側面と、両凸正レンズＬ１４の物体側面と、の合計２面に設けられている。
【０２２６】
実施例７は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞り（絞り）Ｓは、第３レンズ群Ｇ３中に配置されている。
【０２２７】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２２８】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０２２９】
第３レンズ群Ｇ３は、両凸正レンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、両凹負レンズＬ１３と、両凹負レンズＬ１４と、両凸正レンズＬ１５と、で構成されている。
【０２３０】
ここで、両凸正レンズＬ８と両凹負レンズＬ９とが接合されている。負メニスカスレンズＬ１０と正メニスカスレンズＬ１１とが接合されている。両凸正レンズＬ１２と両凹負レンズＬ１３とが接合されている。
【０２３１】
第４レンズ群Ｇ４は、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０２３２】
第５レンズ群Ｇ５は、像側に凸面を向けた正メニスカスレンズＬ１８と、両凹負レンズＬ１９と、で構成されている。ここで、正メニスカスレンズＬ１８と両凹負レンズＬ１９とが接合されている。
【０２３３】
第６レンズ群Ｇ６は、物体側に凸面を向けた正メニスカスレンズＬ２０と、像側に凸面を向けた正メニスカスレンズＬ２１と、像側に凸面を向けた負メニスカスレンズＬ２２と、で構成されている。ここで、正メニスカスレンズＬ２１と負メニスカスレンズＬ２２とが接合されている。
【０２３４】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。第５レンズ群Ｇ５の移動量は非常に小さい。
【０２３５】
遠点から近点へのフォーカス時、第４レンズ群Ｇ４と第５レンズ群Ｇ５が、共に像側に移動する。像ブレ補正時、両凸正レンズＬ１２、両凹負レンズＬ１３、及び両凹負レンズＬ１４が、光軸と垂直な方向に移動する。
【０２３６】
非球面は、両凸正レンズＬ１５の両面の合計２面に設けられている。
【０２３７】
実施例８は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞り（絞り）Ｓは、第３レンズ群Ｇ３中に配置されている。
【０２３８】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２３９】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０２４０】
第３レンズ群Ｇ３は、両凸正レンズＬ７と、両凸正レンズＬ８と、両凹負レンズＬ９と、物体側に凸面を向けた負メニスカスレンズＬ１０と、両凸正レンズＬ１１と、両凸正レンズＬ１２と、両凹負レンズＬ１３と、両凹負レンズＬ１４と、両凸正レンズＬ１５と、で構成されている。
【０２４１】
ここで、両凸正レンズＬ８と両凹負レンズＬ９とが接合されている。負メニスカスレンズＬ１０と両凸正レンズＬ１１とが接合されている。両凸正レンズＬ１２と両凹負レンズＬ１３とが接合されている。
【０２４２】
第４レンズ群Ｇ４は、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０２４３】
第５レンズ群Ｇ５は、両凹負レンズＬ１８と、両凸正レンズＬ１９と、像側に凸面を向けた正メニスカスレンズＬ２０と、像側に凸面を向けた負メニスカスレンズＬ２１と、で構成されている。ここで、正メニスカスレンズＬ２０と負メニスカスレンズＬ２１とが接合されている。
【０２４４】
広角端から望遠端への変倍時、第１レンズ群Ｇ１、第３レンズ群Ｇ３、及び第５レンズ群Ｇ５は固定されている。第２レンズ群Ｇ２は、像側に移動する。第４レンズ群Ｇ４は像側に移動した後、物体側に移動する。開口絞りＳは、第３レンズ群Ｇ３と共に固定されている。
【０２４５】
遠点から近点へのフォーカス時、第４レンズ群Ｇ４が像側に移動する。像ブレ補正時、両凸正レンズＬ１２、両凹負レンズＬ１３、及び両凹負レンズＬ１４が、光軸と垂直な方向に移動する。
【０２４６】
非球面は、両凸正レンズＬ１５の両面の合計２面に設けられている。
【０２４７】
実施例９は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞り（絞り）Ｓは、第３レンズ群Ｇ３中に配置されている。
【０２４８】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０２４９】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０２５０】
第３レンズ群Ｇ３は、両凸正レンズＬ７と、両凸正レンズＬ８と、両凹負レンズＬ９と、物体側に凸面を向けた負メニスカスレンズＬ１０と、両凸正レンズＬ１１と、像側に凸面を向けた正メニスカスレンズＬ１２と、両凹負レンズＬ１３と、両凹負レンズＬ１４と、両凸正レンズＬ１５と、で構成されている。
【０２５１】
ここで、両凸正レンズＬ８と両凹負レンズＬ９とが接合されている。負メニスカスレンズＬ１０と両凸正レンズＬ１１とが接合されている。正メニスカスレンズＬ１２と両凹負レンズＬ１３とが接合されている。
【０２５２】
第４レンズ群Ｇ４は、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０２５３】
第５レンズ群Ｇ５は、両凹負レンズＬ１８で構成されている。
【０２５４】
第６レンズ群Ｇ６は、両凸正レンズＬ１９と、像側に凸面を向けた正メニスカスレンズＬ２０と、像側に凸面を向けた負メニスカスレンズＬ２１と、で構成されている。ここで、正メニスカスレンズＬ２０と負メニスカスレンズＬ２１とが接合されている。
【０２５５】
広角端から望遠端への変倍時、第１レンズ群Ｇ１、第３レンズ群Ｇ３、及び第６レンズ群Ｇ６は固定である。第２レンズ群Ｇ２は、像側に移動する。第４レンズ群Ｇ４は像側に移動した後、物体側に移動する。第５レンズ群Ｇ５は、物体側に移動する。開口絞りＳは、第３レンズ群Ｇ３と共に固定されている
【０２５６】
遠点から近点へのフォーカス時、第４レンズ群Ｇ４が像側に移動する。像ブレ補正時、正メニスカスレンズＬ１２、両凹負レンズＬ１３、及び両凹負レンズＬ１４が、光軸と垂直な方向に移動する。
【０２５７】
非球面は、両凸正レンズＬ１５の両面の合計２面に設けられている。
【０２５８】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０２５９】
また、各種データ又はズームデータにおいて、ＯＢは物体までの距離、ｆは全系の焦点距離、ＦＮＯ．はＦナンバー、ωは半画角、ＢＦはバックフォーカス、ＬＴＬは光学系の全長、である。バックフォーカスは、最も像側のレンズ面から近軸像面までの距離を空気換算して表したものである。全長は、最も物体側のレンズ面から最も像側のレンズ面までの距離にバックフォーカスを加えたものである。無限遠は無限遠物体合焦時、近距離は近距離物体合焦時、至近距離は至近距離物体合焦時を表している。ズームデータ１は、無限遠物体合焦時のデータ、ズームデータ２は、近距離物体合焦時のデータである。ＯＢの単位はｍ（メートル）である。
【０２６０】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「e−ｎ」（ｎは整数）は、「１０−ｎ」を示している。
なお、これら諸元値の記号は後述の実施例の数値データにおいても共通である。
【０２６１】
数値実施例１
単位  ｍｍ
面データ
面番号         r          d         nd       νd
物面        ∞         ∞
1     204.387      3.95     1.91082    35.25
2    -105.022      0.10
3      56.912      6.42     1.49700    81.54
4     -62.187      1.20     1.75211    25.05
5     121.592      0.88
6      46.943      3.97     1.59282    68.63
7     235.707      可変
8    -116.457      1.50     1.48749    70.23
9      30.698      2.16
10     986.859      1.30     1.70154    41.24
11      17.857      4.36     1.80810    22.76
12      46.149      可変
13(絞り)  ∞        3.00
14     233.060      4.00     1.49700    81.54
15     -38.666      0.20
16    -920.251      5.00     1.69680    55.53
17     -18.840      1.00     1.85026    32.27
18    -257.093      1.00
19      97.406      3.00     1.89190    37.13
20     -32.740      1.10     1.49700    81.54
21      37.978      3.22
22     -33.706      1.00     1.72047    34.71
23      61.443      1.50
24*     39.812      5.00     1.61881    63.85
25*    -28.735      0.02
26      30.221      2.15     1.49700    81.54
27     103.465      可変
28*    -53.348      1.20     1.80625    40.91
29*     17.906      0.56
30      22.248      2.30     1.92286    20.88
31      43.201      可変
32      49.910      1.41     1.92286    20.88
33      34.664      0.10
34      35.754      5.00     1.88300    40.76
35    -268.790      可変
撮像面       ∞
非球面データ
第２４面
k=0.000
A4=-8.64270e-06,A6=-1.31059e-08,A8=4.27256e-11
第２５面
k=0.000
A4=1.72324e-06,A6=-1.44263e-08,A8=2.17360e-11
第２８面
k=0.000
A4=3.83571e-06,A6=-1.04756e-08,A8=-1.03076e-10
第２９面
k=0.000
A4=-1.32659e-05,A6=-3.17333e-08,A8=-2.59171e-10
各種データ
無限遠    近距離   至近距離
ｆ                91.10
ＦＮＯ．           2.88
２ω              13.67
ＢＦ(in air)      34.57     34.57     34.57
ＬＴＬ(in air)   151.80    151.80    151.80
撮影倍率       0.00     -0.50     -1.00
d7           2.50      8.55     20.00
d12         23.48     17.43      5.98
d27          3.96     12.09     19.03
d31         19.67     11.54      4.61
d35         34.57     34.57     34.57
各群焦点距離
f1=46.47   f2=-31.05   f3=32.16   f4=-24.98   f5=50.74
【０２６２】
数値実施例２
単位  ｍｍ
面データ
面番号         r          d         nd       νd
物面        ∞         ∞
1     123.794      4.07     1.91082    35.25
2    -121.914      0.44
3      61.036      6.76     1.49700    81.54
4     -64.287      1.20     1.84666    23.78
5     157.006      0.68
6      50.048      4.00     1.59282    68.63
7     271.012      可変
8    -112.998      1.50     1.48749    70.23
9      28.820      2.70
10   -1102.237      1.30     1.70154    41.24
11      17.333      4.36     1.80810    22.76
12      47.310      可変
13(絞り)  ∞        3.00
14    -408.579      4.00     1.49700    81.54
15     -40.964      0.20
16     163.904      5.00     1.69680    55.53
17     -24.105      1.00     2.00069    25.46
18     -60.416      1.78
19     -73.000      3.00     1.85478    24.80
20     -46.321      1.10     1.58313    59.38
21*     33.565      2.62
22      53.993      4.40     1.49700    81.54
23     -36.522      0.15
24      29.173      3.60     1.49700    81.54
25     164.388      可変
26*    -35.891      1.20     1.58313    59.38
27*     21.812      0.20
28      18.393      2.30     1.92286    20.88
29      19.794      可変
30      50.124      1.41     1.92286    20.88
31      34.251      0.12
32      35.448      5.00     1.88300    40.76
33    -227.969      可変
撮像面       ∞
非球面データ
第２１面
k=0.000
A4=-4.62409e-06,A6=-6.23367e-09,A8=1.38024e-11
第２６面
k=0.000
A4=1.94197e-05,A6=-7.06991e-08,A8=3.85251e-10
第２７面
k=0.000
A4=7.42645e-06,A6=-5.88575e-08,A8=5.31721e-10
各種データ
無限遠    近距離   至近距離
ｆ                91.00
ＦＮＯ．           2.88
２ω              13.68
ＢＦ(in air)      33.84     33.84     33.84
ＬＴＬ(in air)   150.45    150.45    150.45
撮影倍率       0.00     -0.50     -1.00
d7           2.50      8.73     19.00
d12         21.50     15.27      5.00
d25          4.49     12.75     20.42
d29         21.03     12.77      5.10
d33         33.84     33.84     33.84
各群焦点距離
f1=46.21   f2=-29.07   f3=32.38   f4=-25.48   f5=49.79
【０２６３】
数値実施例３
単位  ｍｍ
面データ
面番号         r          d         nd       νd
物面        ∞         ∞
1      92.202      4.40     1.90043    37.37
2    -137.608      0.10
3      47.227      6.86     1.49700    81.54
4     -64.920      1.20     1.85478    24.80
5      96.985      1.10
6      42.802      4.11     1.55332    71.68
7     595.119      可変
8     321.503      1.50     1.58313    59.38
9      25.135      3.54
10     -68.430      1.30     1.75700    47.82
11      17.739      4.47     1.80810    22.76
12      66.380      可変
13(絞り)  ∞        3.00
14     -50.000      1.30     1.72047    34.71
15      43.588      6.20     1.59282    68.63
16     -38.287      0.20
17      77.666      3.44     1.90043    37.37
18     -64.296      0.30
19    -145.307      1.30     1.65412    39.68
20      42.604      2.50
21*     41.193      4.80     1.77250    49.50
22     -38.400      1.20     1.80810    22.76
23    -113.009      可変
24*    -88.752      1.20     1.80625    40.91
25*     22.996      0.20
26      23.982      2.42     1.92286    20.88
27      44.778      可変
28      35.264      1.60     1.92286    20.88
29      28.756      0.48
30      32.539      5.00     1.69680    55.53
31     736.567      可変
撮像面       ∞
非球面データ
第２１面
k=0.000
A4=-1.71374e-06,A6=1.54876e-09,A8=-4.63603e-12
第２４面
k=0.000
A4=7.62471e-07,A6=-2.37313e-08,A8=9.41326e-11
第２５面
k=0.000
A4=-2.49802e-06,A6=-2.60367e-08,A8=9.73906e-11
各種データ
無限遠    近距離   至近距離
ｆ                91.03
ＦＮＯ．           2.88
２ω              13.68
ＢＦ(in air)      38.59     38.59     38.59
ＬＴＬ(in air)   151.62    151.62    151.62
撮影倍率       0.00     -0.50     -1.00
d7           2.50      6.93     14.51
d12         17.01     12.58      5.00
d23          3.70     14.81     24.68
d27         26.09     14.97      5.10
d31         38.59     38.59     38.59
各群焦点距離
f1=41.20   f2=-22.55   f3=32.33   f4=-37.94   f5=67.14
【０２６４】
数値実施例４
単位  ｍｍ
面データ
面番号         r          d         nd       νd
物面        ∞         ∞
1     155.290      3.81     1.95375    32.32
2    -120.739      0.10
3      43.361      7.11     1.49700    81.54
4     -65.018      1.20     1.75211    25.05
5      66.651      1.54
6      61.393      3.97     1.59282    68.63
7    -317.732      可変
8    -108.692      1.50     1.48749    70.23
9      23.607      3.66
10     -63.624      1.30     1.59551    39.24
11      21.616      4.36     1.80810    22.76
12      93.589      可変
13(絞り)  ∞        3.00
14*     36.268      5.30     1.49700    81.54
15*    -42.798      1.78
16     -30.167      1.10     1.69895    30.13
17     100.268      5.00     1.77250    49.60
18     -27.011      可変
19*    -89.461      1.00     1.80625    40.91
20*     20.506      0.94
21      26.090      2.30     1.92286    20.88
22      54.967      可変
23      43.552      1.41     1.92286    20.88
24      29.903      1.28
25      32.959      5.00     1.81600    46.62
26   -1466.298      可変
撮像面       ∞
非球面データ
第１４面
k=0.000
A4=1.07545e-06,A6=7.44447e-09,A8=1.90947e-10
第１５面
k=0.000
A4=2.06491e-05,A6=1.30939e-08,A8=2.35062e-10
第１９面
k=0.000
A4=-2.05396e-06,A6=-6.51618e-09,A8=1.69175e-11
第２０面
k=0.000
A4=-1.24573e-05,A6=-2.05328e-08,A8=-1.85223e-11
各種データ
無限遠    近距離   至近距離
ｆ                91.02
ＦＮＯ．           2.88
２ω              13.59
ＢＦ(in air)      41.46     41.46     41.46
ＬＴＬ(in air)   151.63    151.63    151.63
撮影倍率       0.00     -0.50     -1.00
d7           2.50      6.97     15.35
d12         20.35     15.88      7.50
d18          3.40     13.89     23.55
d22         27.25     16.76      7.10
d26         41.46     41.46     41.46
各群焦点距離
f1=45.99   f2=-28.86   f3=33.42   f4=-34.21   f5=62.49
【０２６５】
数値実施例５
単位  ｍｍ
面データ
面番号         r          d         nd       νd
物面        ∞         ∞
1     133.168     11.81     1.48749    70.23
2   -2359.129      0.20
3     116.357      3.80     1.83400    37.16
4      70.858     15.07     1.43875    94.66
5     899.129      可変
6   -1781.962      2.35     1.48749    70.23
7      46.329      5.97     1.85478    24.80
8      66.914      5.15
9    -187.736      1.80     1.69680    55.53
10     151.953      可変
11      54.375      7.87     1.70154    41.24
12    -528.893      0.55
13      36.389      8.56     1.49700    81.54
14    -187.152      1.80     1.88300    40.76
15     152.853      4.91
16(絞り)  ∞        2.60
17      96.920      1.51     2.00100    29.13
18      23.355      7.03     1.49700    81.54
19     165.160      7.35
20    -279.360      3.40     1.80100    34.97
21     -35.122      1.00     1.69680    55.53
22      87.557      1.41
23    -386.520      1.00     1.78800    47.37
24      70.056      3.50
25*     25.776      6.84     1.61881    63.85
26*    -57.485      可変
27      68.637      1.00     1.83481    42.73
28      16.711      2.10     1.80810    22.76
29      22.025      可変
30    -135.932      2.40     1.76182    26.52
31     -16.289      1.00     1.88300    40.76
32      39.756      可変
33      53.677      5.00     1.84666    23.78
34     -31.220      0.20
35     -65.245      4.50     1.80000    29.84
36     -17.459      1.50     1.94595    17.98
37    -109.637      可変
撮像面       ∞
非球面データ
第２５面
k=0.000
A4=-1.09321e-05,A6=-6.77521e-09,A8=-9.79193e-12
第２６面
k=0.000
A4=3.46924e-06,A6=-6.11169e-09,A8=2.50249e-12
ズームデータ１
広角端     中間     望遠端
ｆ               140.63    220.60    360.31
ＦＮＯ．           4.21      4.21      4.21
２ω               8.69      5.55      3.42
ＢＦ(in air)      25.79     25.79     25.79
ＬＴＬ(in air)   255.63    255.63    255.63
d5           4.27     37.72     69.09
d10         66.32     32.87      1.50
d26         13.96     12.73      3.00
d29         14.81     14.99     23.00
d32          7.29      8.34     10.06
d37         25.79     25.79     25.79
ズームデータ２
ＯＢ        986.4     986.4     986.4
d5           4.27     37.72     69.09
d10         66.32     32.87      1.50
d26         17.20     20.82     22.04
d29         13.96     11.21      9.64
d32          4.90      4.03      4.37
d37         25.79     25.79     25.79
各群焦点距離
f1=196.30   f2=-76.04   f3=60.35   f4=-39.34   f5=-28.06   f6=33.13
【０２６６】
数値実施例６
単位  ｍｍ
面データ
面番号         r          d         nd       νd
物面        ∞         ∞
1     152.378     11.16     1.43875    94.66
2    -785.028      0.20
3     107.267      3.67     1.83400    37.16
4      72.391     14.20     1.43875    94.66
5     604.702      可変
6   -1338.874      2.20     1.49700    81.54
7      37.645      7.50     1.85478    24.80
8      49.297      4.93
9    -120.261      1.80     1.72916    54.68
10     205.458      可変
11      56.079      6.68     1.70154    41.24
12    -596.574      2.18
13      32.396      6.80     1.49700    81.54
14     231.943      2.51
15(絞り)  ∞        2.06
16   -2717.224      3.43     2.00100    29.13
17      24.925      9.01     1.49700    81.54
18*   -130.226      4.00
19    -149.974      3.60     1.80100    34.97
20     -25.965      1.15     1.72916    54.68
21     286.035      1.00
22    -162.449      1.15     1.78800    47.37
23      76.640      3.50
24*     27.617      6.50     1.61881    63.85
25     -51.577      可変
26     116.518      1.00     1.69680    55.53
27      18.394      2.08     1.80810    22.76
28      23.229      可変
29     329.309      2.00     1.72825    28.46
30    -111.463      1.00     1.77250    49.60
31      38.131      可変
32      67.421      4.50     1.80810    22.76
33     -42.397      0.20
34     -62.211      3.60     1.84666    23.78
35     -24.445      1.50     1.94595    17.98
36    -419.264      可変
撮像面       ∞
非球面データ
第１８面
k=0.000
A4=-7.33808e-07,A6=8.57504e-09,A8=-5.79950e-12
第２４面
k=0.000
A4=-1.36872e-05,A6=1.75165e-09,A8=-7.90166e-12
ズームデータ１
広角端     中間     望遠端
ｆ               102.59    201.19    394.31
ＦＮＯ．           4.60      4.60      4.60
２ω              11.93      6.08      3.11
ＢＦ(in air)      29.91     29.91     29.91
ＬＴＬ(in air)   276.26    276.26    276.26
d5           3.00     48.00     84.89
d10         83.39     38.39      1.50
d25          6.02      9.57      3.00
d28         28.54     21.42     20.93
d31         10.29     13.85     20.92
d36         29.91     29.91     29.91
ズームデータ２
ＯＢ        963.1     963.1     963.1
d5           3.00     48.00     84.89
d10         83.39     38.39      1.50
d25          6.90     13.47     19.96
d28         31.12     27.39     21.40
d31          6.83      3.99      3.49
d36         29.91     29.91     29.91
各群焦点距離
f1=193.93   f2=-58.00   f3=50.98   f4=-45.10   f5=-54.43   f6=63.88
【０２６７】
数値実施例７
単位  ｍｍ
面データ
面番号         r          d         nd       νd
物面        ∞         ∞
1     186.560      7.92     1.48749    70.23
2   -2210.980      0.30
3     155.505      3.00     1.72047    34.71
4      92.440     11.80     1.43875    94.66
5    3662.903      可変
6   -1315.400      1.90     1.48749    70.23
7      45.851      6.50     1.84666    23.78
8      68.617      5.74
9    -145.470      1.70     1.77250    49.60
10     184.725      可変
11      89.508      6.66     1.74400    44.78
12    -230.408     19.20
13      50.748      6.83     1.49700    81.54
14     -96.508      2.00     1.88100    40.14
15      71.593      0.25
16      35.629     10.00     1.80810    22.76
17      23.150      6.50     1.43875    94.66
18     168.720      3.50
19      77.949      3.80     1.83481    42.73
20     -74.361      0.90     1.53996    59.46
21      33.975     11.37
22     -45.008      0.90     1.70154    41.24
23     446.846      3.00
24(絞り)  ∞        1.00
25*     28.561      9.24     1.58313    59.38
26*    -46.437      可変
27     152.108      1.00     1.88300    40.76
28      28.638      2.00     1.85478    24.80
29      28.459      可変
30    -979.818      2.30     1.85478    24.80
31     -28.039      1.00     1.71999    50.23
32      25.246      可変
33      29.339      4.00     1.61340    44.27
34     131.851     28.09
35   -7634.218      4.20     1.73800    32.26
36     -22.311      1.32     1.80810    22.76
37     -49.000      可変
撮像面       ∞
非球面データ
第２５面
k=0.000
A4=-7.75790e-06,A6=5.19318e-11,A8=-1.38826e-11,
A10=2.04906e-13
第２６面
k=0.000
A4=6.79048e-06,A6=-2.80188e-09,A8=-8.54943e-13,
A10=2.19885e-13
ズームデータ１
広角端     中間     望遠端
ｆ               152.71    239.55    391.26
ＦＮＯ．           4.57      4.57      4.57
２ω               8.08      5.14      3.15
ＢＦ(in air)      29.01     29.01     29.01
ＬＴＬ(in air)   318.54    318.54    318.54
d5          22.15     58.58     91.06
d10         70.41     33.98      1.50
d26          4.10      6.69      3.81
d29         21.30     18.69     21.60
d32          3.65      3.67      3.64
d37         29.01     29.01     29.01
ズームデータ２
ＯＢ        979.3     979.3     979.3
d5          22.15     58.58     91.06
d10         70.41     33.98      1.50
d26          7.08     14.05     21.92
d29         18.80     12.05      4.74
d32          3.18      2.96      2.39
d37         29.01     29.01     29.01
各群焦点距離
f1=231.50   f2=-70.98   f3=70.18   f4=-40.06   f5=-40.74   f6=45.03
【０２６８】
数値実施例８
単位  ｍｍ
面データ
面番号         r          d         nd       νd
物面        ∞         ∞
1     155.634      8.17     1.48749    70.23
2   -1183.103      0.20
3     110.573      3.50     1.85026    32.27
4      73.279     11.00     1.43875    94.66
5    3782.461      可変
6    -361.104      2.20     1.48749    70.23
7      34.613      5.00     1.85478    24.80
8      52.833      4.19
9    -116.440      1.80     1.72916    54.68
10     131.517      可変
11      59.264      6.46     1.70154    41.24
12    -193.249      3.94
13      33.975      6.89     1.49700    81.54
14     -85.747      1.80     1.74320    49.34
15      49.717      3.66
16(絞り)  ∞        3.88
17      31.834      3.14     2.00069    25.46
18      17.271      7.48     1.49700    81.54
19    -128.719      4.00
20    1010.690      3.60     1.80100    34.97
21     -25.882      1.15     1.71999    50.23
22      67.670      1.62
23     -68.551      1.15     1.78800    47.37
24      73.576      3.50
25*     26.386      5.50     1.61881    63.85
26*    -36.003      可変
27     133.476      1.00     1.76200    40.10
28      15.237      2.10     1.80810    22.76
29      19.127      可変
30     -34.107      1.00     1.57135    52.95
31      59.395      3.00
32      60.447      5.00     1.84666    23.78
33     -28.828      3.41
34     -27.435      3.50     1.88300    40.76
35     -17.930      1.50     1.94595    17.98
36     -37.982      可変
撮像面       ∞
非球面データ
第２５面
k=0.000
A4=-1.63131e-05,A6=-6.45054e-09,A8=-3.98622e-11
第２６面
k=0.000
A4=7.67471e-07,A6=-7.23041e-09,A8=-4.38464e-11
ズームデータ１
広角端     中間     望遠端
ｆ                71.50    120.02    235.01
ＦＮＯ．           3.60      3.60      3.60
２ω              17.29     10.20      5.20
ＢＦ(in air)      28.74     28.74     28.74
ＬＴＬ(in air)   238.08    238.08    238.08
d5           2.50     36.12     71.12
d10         74.14     40.52      5.52
d26          3.00      5.42      3.20
d29         15.35     12.94     15.16
d36         28.74     28.74     28.74
ズームデータ２
ＯＢ        961.9     961.9     961.9
d5           2.50     36.12     71.12
d10         74.14     40.52      5.52
d26          4.06      8.43     13.78
d29         14.29      9.93      4.58
d36         28.74     28.74     28.74
各群焦点距離
f1=179.04   f2=-54.19   f3=48.18   f4=-30.34   f5=89.39
【０２６９】
数値実施例９
単位  ｍｍ
面データ
面番号         r          d         nd       νd
物面        ∞         ∞
1     152.370      7.98     1.48749    70.23
2   -3200.585      0.20
3     109.237      3.50     1.85026    32.27
4      73.923     11.00     1.43875    94.66
5    2440.826      可変
6    -343.235      2.20     1.48749    70.23
7      34.053      5.00     1.85478    24.80
8      50.197      4.17
9    -135.978      1.80     1.72916    54.68
10     120.167      可変
11      57.322      6.23     1.70154    41.24
12    -281.697      5.28
13      30.428      6.80     1.49700    81.54
14    -115.293      1.80     1.74320    49.34
15      42.425      3.82
16(絞り)  ∞        4.19
17      30.428      3.07     2.00069    25.46
18      17.196      7.24     1.49700    81.54
19    -121.608      4.00
20    -698.245      3.60     1.80100    34.97
21     -24.872      1.15     1.71999    50.23
22      98.052      1.27
23     -78.963      1.15     1.78800    47.37
24      51.771      3.50
25*     23.183      5.50     1.61881    63.85
26*    -40.582      可変
27     237.177      1.29     1.76200    40.10
28      14.212      2.10     1.80810    22.76
29      18.044      可変
30     -46.078      1.00     1.57135    52.95
31      66.330      可変
32      69.793      5.00     1.84666    23.78
33     -26.557      2.15
34     -26.631      3.50     1.88300    40.76
35     -17.866      1.50     1.94595    17.98
36     -37.714      可変
撮像面       ∞
非球面データ
第２５面
k=0.000
A4=-1.72280e-05,A6=-2.24278e-08,A8=-1.05495e-11
第２６面
k=0.000
A4=2.82535e-06,A6=-2.34671e-08,A8=1.76888e-11
ズームデータ１
広角端     中間     望遠端
ｆ                67.01    120.04    250.00
ＦＮＯ．           3.60      3.60      3.60
２ω              18.37     10.17      4.89
ＢＦ(in air)      28.25     28.25     28.25
ＬＴＬ(in air)   241.59    241.59    241.59
d5           2.50     41.05     78.50
d10         77.50     38.95      1.50
d26          3.00      5.94      3.20
d29         16.52     12.76     15.45
d31          2.84      3.67      3.72
d36         28.25     28.25     28.25
ズームデータ２
ＯＢ       1058.4    1058.4    1058.4
d5           2.50     41.05     78.50
d10         77.50     38.95      1.50
d26          3.83      8.69     14.05
d29         15.69     10.01      4.60
d31          2.84      3.67      3.72
d36         28.25     28.25     28.25
各群焦点距離
f1=182.58   f2=-53.09   f3=48.08   f4=-26.39   f5=-47.43   f6=31.20
【０２７０】
次に、各実施例における条件式の値を以下に掲げる。
実施例１     実施例２     実施例３
(1)|fMF/fMB|    1.29         1.27         0.85
(2)νdFFp      81.54        81.54        81.54
(3)LTL/fMF      4.72         4.65         4.69
(4)|LTL/fFB|    4.89         5.18         6.72
(5)fMB/fR      -0.49        -0.51        -0.57
(6)|fFF/fFB|    1.50         1.59         1.83
(7)fFB/fMB      1.24         1.14         0.59
(8)fFF/fMF      1.45         1.43         1.27
(9)KISA         1.30         1.40         1.62
(10)KMBA        3.90         3.66         2.92
(11)νdRni     20.88        20.88        20.88
(12)LIS/LTL     0.06         0.03         0.04
実施例４     実施例５     実施例６
(1)|fMF/fMB|    0.98         1.53         1.13
(2)νdFFp      81.54        94.66        94.66
(3)LTL/fMF      4.54         4.24         5.42
(4)|LTL/fFB|    5.25         3.36         4.76
(5)fMB/fR      -0.55        -1.19        -0.71
(6)|fFF/fFB|    1.59         2.58         3.34
(7)fFB/fMB      0.84         1.93         1.29
(8)fFF/fMF      1.38         3.25         3.80
(9)KISA         2.01         1.77         1.94
(10)KMBA        3.35         5.98         6.67
(11)νdRni     20.88        17.98        17.98
(12)LIS/LTL     0.09         0.03         0.03
実施例７     実施例８     実施例９
(1)|fMF/fMB|    1.75         1.588        1.822
(2)νdFFp      94.66        94.66        94.66
(3)LTL/fMF      4.54         4.941        5.025
(4)|LTL/fFB|    4.49         4.394        4.55
(5)fMB/fR      -0.89        -0.339       -0.846
(6)|fFF/fFB|    3.26         3.304        3.439
(7)fFB/fMB      1.77         1.786        2.012
(8)fFF/fMF      3.30         3.716        3.798
(9)KISA         1.73         1.794        1.8
(10)KMBA        6.96         4.6          4.6
(11)νdRni     22.76        17.98        17.98
(12)LIS/LTL     0.05         0.032        0.03
【０２７１】
図１９は、電子撮像装置としての一眼ミラーレスカメラの断面図である。図１９において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０２７２】
そして、一眼ミラーレスカメラ１の撮影光学系２として、例えば上記実施例に示したマクロレンズ、又はズーム光学系が用いられる。
【０２７３】
図２０、図２１は、撮像装置の構成の概念図を示す。図２０は撮像装置としてのデジタルカメラ４０の前方斜視図、図２１は同後方斜視図である。このデジタルカメラ４０の撮影光学系４１に、本実施例のマクロレンズ、又はズーム光学系が用いられている。
【０２７４】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のマクロレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２７５】
図２２は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２７６】
図２２に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２７７】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２７８】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２７９】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２８０】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２８１】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２８２】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２８３】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２８４】
なお、本発明は、その趣旨を逸脱しない範囲で様々な変形例をとることができる。また、上記各実施例により示された形状枚数には必ずしも限定されない。また、各レンズ群内
又は各レンズ群外に、上記各実施例に図示されていないレンズであって実質的に屈折力を有さないレンズを配置してもよい。
【産業上の利用可能性】
【０２８５】
以上のように、本発明は、操作性と機動性に優れると共に、高いブレ補正効果を有し、収差が良好に補正された結像光学系及びそれを備えた撮像装置に適している。
【符号の説明】
【０２８６】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｓ  開口絞り
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019184968.tif 000003
【図２】
2019184968.tif 000004
【図３】
2019184968.tif 000005
【図４】
2019184968.tif 000006
【図５】
2019184968.tif 000007
【図６】
2019184968.tif 000008
【図７】
2019184968.tif 000009
【図８】
2019184968.tif 000010
【図９】
2019184968.tif 000011
【図１０】
2019184968.tif 000012
【図１１】
2019184968.tif 000013
【図１２】
2019184968.tif 000014
【図１３】
2019184968.tif 000015
【図１４】
2019184968.tif 000016
【図１５】
2019184968.tif 000017
【図１６】
2019184968.tif 000018
【図１７】
2019184968.tif 000019
【図１８】
2019184968.tif 000020
【図１９】
2019184968.tif 000021
【図２０】
2019184968.tif 000022
【図２１】
2019184968.tif 000023
【図２２】
2019184968.tif 000024